(57)【要約】【課題】        シートサイズに関わらず適切なスキュー調整（姿勢調整）が可能なシート姿勢調整装置を提供すること。【解決手段】    レジロールＲｒの上流側に配置され且つ通過するシートを検出するレジセンサＳＮ１と、上流側シート搬送路ＳＨ１に沿って下流側から上流側に向かって順次、レジセンサＳＮ１、第１合流点、第２合流点が配置されるように、配置された第１給紙路および第２給紙路と、第１シートと第２シートとが画像記録位置Ｑ３の通過時に積層状態で搬送されることを指示するシート積層搬送指示部材ＵＩ５,ＵＩ６と、シート積層搬送が指示されたときに、第１シートと第２シートとが積層状態で画像記録位置Ｑ３を通過するように、シートを搬送するシート積層搬送手段Ｃ６とを有する画像形成装置用のシート搬送装置。【選択図】      図３
2006089209.tif 000002
【特許請求の範囲】
【請求項１】
次の構成要件（Ａ01）〜（Ａ07）を備えた画像形成装置用のシート搬送装置、
（Ａ01）給紙装置から給紙されたシートを画像記録位置に搬送するために前記画像記録位置のシート搬送方向上流側に配置された上流側シート搬送路と、前記画像記録位置に搬送されたシートを排紙トレイに搬送するために画像記録位置の下流側に配置された下流側シート搬送路とを有するシート搬送路、
（Ａ02）第１シートが収容された第１給紙トレイと前記第１給紙トレイから取出された第１シートを前記上流側シート搬送路に供給する第１給紙路と前記第１給紙路に配置され且つ前記第１給紙トレイから第１シートを取出して前記上流側シート搬送路に搬送する第１給紙部材とを有する第１給紙装置と、第２シートが収容された第２給紙トレイと前記第２給紙トレイから取出された第２シートを前記上流側シート搬送路に供給する第２給紙路と前記第２給紙路に配置され且つ前記第２給紙トレイから前記第２シートを取出して前記上流側シート搬送路に搬送する第２給紙部材とを有する第２給紙装置とを備えた前記給紙装置、
（Ａ03）前記上流側シート搬送路の前記第１給紙路との合流位置よりも下流側に配置され、給紙されたシートをレジロール上流側のレジ位置に一時的に停止させてから、所定のタイミングで前記画像記録位置に搬送するレジロール、
（Ａ04）前記レジロールの上流側に配置され且つ通過するシートを検出するレジセンサ、
（Ａ05）前記上流側シート搬送路に沿って下流側から上流側に向かって順次、前記レジセンサ、前記上流側シート搬送路に対する第１給紙路の合流点である第１合流点、および第２給紙路の合流点である第２合流点が配置されるように、配置された前記第１給紙路および前記第２給紙路、
（Ａ06）前記第１シートと前記第２シートとが前記画像記録位置の通過時に積層状態で搬送されることを指示するシート積層搬送指示手段、
（Ａ07）前記シート積層搬送が指示されたときに、前記給紙装置および前記レジロールの動作を制御して、前記第１シートと第２シートとが積層状態で前記画像記録位置を通過するように、前記シートを搬送するシート積層搬送手段。
【請求項２】
次の構成要件（Ａ08），（Ａ09）を備え請求項１記載の画像形成装置用のシート搬送装置、
（Ａ08）第２給紙装置が第２シートの給紙を開始してから第２シートの前端が前記画像記録位置に到達するまでの所要時間をＴ２とし、第１給紙装置が第１シートの給紙を開始してから第１シートの前端が前記画像記録位置に到達するまでの所要時間をＴ１（Ｔ１＜Ｔ２）とした場合に、Ｔ２とＴ１との時間差ΔＴを記憶する所要時間差記憶手段、
（Ａ09）前記所要時間Ｔ１が短いシートを前記所要時間Ｔ２が長いシートの給紙開始時刻からΔＴ時間だけ遅れて給紙開始するように前記第１給紙装置および第２給紙装置の動作を制御する給紙制御手段。
【請求項３】
次の構成要件（Ａ010）〜（Ａ012）を備えた請求項１記載の画像形成装置用のシート搬送装置、
（Ａ010）透光性のＯＨＰシートである前記第１シートおよび遮光性の普通紙により形成された通常シートである前記第２シート、
（Ａ011）前記ＯＨＰシートである第１シートを先に給紙し、先行した第１シートが前記レジ位置に搬送され停止された状態で、前記通常シートである第２シートの前端がレジセンサを通過するように前記第１給紙装置および第２給紙装置の動作を制御する給紙制御手段、
（Ａ012）前記後から搬送される第２シートの先端が前記レジ位置で停止する第１シートの先端に追いついた時に前記レジロールの回転を開始して、前記第１シートと第２シートとが積層状態で前記画像記録位置を通過するように、前記各シートを搬送するシート積層搬送手段。
【請求項４】
次の構成要件（Ａ013），（Ａ014）を備えた請求項３記載の画像形成装置用のシート搬送装置、
（Ａ013）前記レジセンサとレジロールとの間に配置され、通過するシートが透光性のＯＨＰシートであるか遮光性の通常紙であるかを検出するＯＨＰセンサ、
（Ａ014）前記ＯＨＰセンサが検出した第１シートが透光性でない場合にはユーザにエラー発生を告知するエラー発生告知手段。
【請求項５】
次の構成要件（Ａ015）〜（Ａ017）を備えた請求項１記載の画像形成装置用のシート搬送装置、
（Ａ015）封緘用シートである前記第１シートおよび前記封緘用シートにより被覆される文書が形成された文書シートである前記第２シート、
（Ａ016）前記封緘用シートである第１シートを先に給紙し、先行した第１シートが前記レジ位置に搬送され停止された状態で、前記文書シートである第２シートの前端がレジセンサを通過するように前記第１給紙装置および第２給紙装置の動作を制御する給紙制御手段、
（Ａ017）前記後から搬送される第２シートの先端が前記レジ位置で停止する第１シートの先端に追いついた時に前記レジロールの回転を開始して、前記第１シートと第２シートとが積層状態で且つ前記文書シートの文書が封緘用シートで被覆された状態で前記画像記録位置を通過するように、前記各シートを搬送するシート積層搬送手段。
【請求項６】
次の構成要件（Ａ01）〜（Ａ07），（Ａ01a），（Ａ07a）を備えた画像形成装置用のシート搬送装置、
（Ａ01）給紙装置から給紙されたシートを画像記録位置に搬送するために前記画像記録位置のシート搬送方向上流側に配置された上流側シート搬送路と、前記画像記録位置に搬送されたシートを排紙トレイに搬送するために画像記録位置の下流側に配置された下流側シート搬送路とを有するシート搬送路、
（Ａ01a）前記画像記録位置を通過して下流側シート搬送路に搬送されたシートを反転させて前記上流側シート搬送路との合流点である再送シート合流点に再送するシート反転再送路を有する前記シート搬送路、
（Ａ02）第１シートが収容された第１給紙トレイと前記第１給紙トレイから取出された第１シートを前記上流側シート搬送路に供給する第１給紙路と前記第１給紙路に配置され且つ前記第１給紙トレイから第１シートを取出して前記上流側シート搬送路に搬送する第１給紙部材とを有する第１給紙装置と、第２シートが収容された第２給紙トレイと前記第２給紙トレイから取出された第２シートを前記上流側シート搬送路に供給する第２給紙路と前記第２給紙路に配置され且つ前記第２給紙トレイから前記第２シートを取出して前記上流側シート搬送路に搬送する第２給紙部材とを有する第２給紙装置とを備えた前記給紙装置、
（Ａ03）前記上流側シート搬送路の第１給紙路との合流位置よりも下流側に配置され、給紙されたシートをレジロール上流側のレジ位置に一時的に停止させてから、所定のタイミングで前記画像記録位置に搬送するレジロール、
（Ａ04）前記レジロールの上流側に配置され且つ通過するシートを検出するレジセンサ、
（Ａ05）前記上流側シート搬送路に沿って下流側から上流側に向かって順次、前記レジセンサ、前記上流側シート搬送路に対する第１給紙路の合流点である第１合流点、および第２給紙路の合流点である第２合流点が配置されるように、配置された前記第１給紙路および前記第２給紙路、
（Ａ06）前記第１シートと前記第２シートとが前記画像記録位置の通過時に積層状態で搬送されることを指示するシート積層搬送指示手段、
（Ａ07）前記シート積層搬送が指示されたときに、前記給紙装置および前記レジロールの動作を制御して、前記第１シートと第２シートとが積層状態で前記画像記録位置を通過するように、前記シートを搬送するシート積層搬送手段、
（Ａ07a）第１シートまたは第２シートの中の一方のシートであって前記画像記録位置および前記シート反転再送路を２回通過してから前記上流側シート搬送路に再々送された反転再々送シートと他方のシートとが積層状態で前記画像記録位置を通過するように、前記各シートを搬送する前記シート積層搬送手段。
【請求項７】
次の構成要件（Ａ018），（Ａ019）を備えた請求項６記載の画像形成装置用のシート搬送装置、
（Ａ018）前記第１シートおよび前記第２シートの中の一方のシートを構成し且つ両面印字される前記再々送シート、
（Ａ019）前記第１シートおよび前記第２シートの中の他方のシートを構成し且つ前記両面印字された再々送シートの１面目を被覆し且つ外周辺が前記１面目の外周辺に加熱加圧接着される封緘用シート。
【請求項８】
次の構成要件（Ａ020）〜（Ａ022）を備え請求項７記載の画像形成装置用のシート搬送装置、
（Ａ020）前記シート反転再送路または上流側シート搬送路に配置され且つ前記反転再々送シートの通過時刻を検出する再々送シートセンサ、
（Ａ021）前記再々送シートセンサが前記再々送された反転再々送シートの前端を検出してから前記再々送された反転再々送シートの前端が前記画像記録位置に到達するまでの所要時間をＴ４とし、前記封緘用シートを給紙する給紙装置が封緘用シートの給紙を開始してから前記封緘用シートの前端が前記画像記録位置に到達するまでの所要時間をＴ３（Ｔ３＜Ｔ４）とした場合に、Ｔ３とＴ４との時間差ΔＴを記憶する所要時間差記憶手段、
（Ａ022）前記所要時間Ｔ３の短い他方のシートを前記所要時間Ｔ４の長い再々送シートの検出通過時刻からΔＴ時間だけ遅れて給紙開始するように前記封間用シートを給紙する給紙装置の動作を制御する給紙制御手段。
【請求項９】
次の構成要件（Ａ023），（Ａ024）を備え請求項７記載の画像形成装置用のシート搬送装置、
（Ａ023）前記再々送シートと封緘用シートとの中のいずれか一方のシートが前記レジ位置に搬送され停止された状態で、他方のシートの前端がレジセンサを通過するように前記第１給紙装置または第２給紙装置の動作を制御する給紙制御手段、
（Ａ024）前記後から搬送される他方のシートの先端が前記レジ位置で停止している前記一方のシートの先端に追いついた時に前記レジロールの回転を開始して、前記再々送シートと封緘用シートとが積層状態で前記画像記録位置を通過するように、前記各シートを搬送するシート積層搬送手段。
【請求項１０】
次の構成要件（Ａ025）〜（Ａ027）を備えた画像形成装置
（Ａ025）前記請求項１ないし９のいずれか記載のシート搬送装置、
（Ａ026）前記画像記録位置を通過するシート表面ににトナー像を形成するトナー像形成装置、
（Ａ027）前記画像記録位置を通過したシート上のトナー像を加熱定着する定着装置。
【発明の詳細な説明】
【技術分野】
【０００１】
本発明は、画像形成動作時に異なる２種類のシートを給紙する画像形成装置用のシート搬送装置および画像形成装置に関し、特に、画像形成シートの生産効率を低下させることなく特殊な機能を実現させることが可能な画像形成装置用のシート搬送装置および画像形成装置に関する。
【背景技術】
【０００２】
画像形成装置により例えば、ＯＨＰシートに画像記録する場合、ＯＨＰシートに画像記録する際、ＯＨＰシートに順次画像記録して排紙トレイにＯＨＰシートを重ねて排出すると、ＯＨＰシートの印字画像が他のＯＨＰシートに接触した状態となる。その場合、他のＯＨＰシートに接触する印字画像が前記他のＯＨＰシートに部分的に転写されてしまう。その場合、前記他のＯＨＰシートには実際に画像形成したシート面の裏面に前記転写された画像が形成されてしまう。この場合、透明なＯＨＰシートの両面に異なる画像が形成されてそれらの画像が重なった状態で見えてしまうという問題点がある。
【０００３】
前記問題点を解決する方法が記載された技術としては、特許文献１または特許文献２記載の技術が従来公知である。
（特許文献１：特開平６−１５６７７３号公報）
この特許文献１には、給紙トレイ１から給紙されたＯＨＰシート２である場合には、そのＯＨＰシート２の給送を給送経路の途中で一時止めると同時に、給紙トレイ６から普通紙を給送し、画像を形成せずに普通紙を排出した後に、一時停止されていたＯＨＰシート２に目的とする画像を形成して排出することにより、普通紙とＯＨＰシートとを交互に排出する技術が記載されている。
この公報記載の技術はＯＨＰシートが重なった状態で排出されないので、一方のＯＨＰシートに形成された画像が他のＯＨＰシートに転写されという問題点が解決される。
【０００４】
（特許文献２：特開平２００１−７２２６６号公報）
この特許文献２には：コピー機１において、操作パネルの設定キー９７によりＯＨＰ合紙モードが選択されると、手差し給紙カセット２０１ｄからのＯＨＰシートＯＳと給紙カセット２０１ａからの用紙（差込用紙）Ｐとが、転写ドラム２０２に同時に吸着された状態で、画像形成が行われる。前記ＯＨＰシートＯＳと用紙Ｐとは交互に重なった状態で排紙される。
【０００５】
前述のように 画像形成装置により画像形成動作を行う場合に、特殊な目的または特殊な機能を実現する目的で異なる２種類のシートを給紙する画像形成装置は従来公知である。
【特許文献１】特開平６−１５６７７３号公報
【特許文献２】特開平２００１−７２２６６号公報
【発明の開示】
【発明が解決しようとする課題】
【０００６】
（特許文献１記載の技術の問題点）
前記特許文献１記載の技術では、ＯＨＰシートと普通紙とが異なる時間に搬送されるので、ＯＨＰシート使用時の画像記録シートの生産効率が低いという問題点がある。
（特許文献２記載の技術の問題点）
前記特許文献２記載の技術では、転写ドラムを使用するので、画像形成装置の構成が複雑となり画像形成装置の製造コストが高くなるという問題点がある。
【０００７】
また、前記従来技術では、画像記録されたシートである文書シートと前記文書シートの画像記録面を被覆する封緘用シートとを別々の給紙トレイから給紙して、前記文書シートおよび封緘用シートを重ねた状態でそれらの外周辺を接着して封緘書類を作成することは不可能である。
本発明は前記事情に鑑み、次の記載内容（Ｏ01）を技術的課題とする。
（Ｏ01）画像形成動作時に異なる２種類のシートを給紙する画像形成装置用のシート搬送装置および画像形成装置において、画像形成シートの生産効率を低下させることなく、特殊な機能を実現すること。
【課題を解決するための手段】
【０００８】
次に、前記課題を解決するために案出した本発明を説明するが、本発明の構成要素には、後述の実施例の構成要素との対応を容易にするため、実施例の構成要素の符号をカッコで囲んだものを付記する。
なお、本発明を後述の実施例の符号と対応させて説明する理由は、本発明の理解を容易にするためであり、本発明の範囲を実施例に限定するためではない。
【０００９】
（第１発明）
前記課題を解決するために第１発明の画像形成装置用のシート搬送装置は、次の構成要件（Ａ01）〜（Ａ07）を備えたたことを特徴とする。
（Ａ01）給紙トレイ（ＴＲ１〜ＴＲ４）から給紙されたシートを画像記録位置（Ｑ３）に搬送するために前記画像記録位置（Ｑ３）のシート搬送方向上流側に配置された上流側シート搬送路（ＳＨ１）と、前記画像記録位置（Ｑ３）に搬送されたシートを排紙トレイ（ＴＲｈ）に搬送するために画像記録位置（Ｑ３）の下流側に配置された下流側シート搬送路（ＳＨ２）とを有するシート搬送路（ＳＨ）、
（Ａ02）第１シートが収容された第１給紙トレイと前記第１給紙トレイから取出された第１シートを前記上流側シート搬送路（ＳＨ１）に供給する第１給紙路と前記第１給紙路に配置され且つ前記第１給紙トレイから第１シートを取出して前記上流側シート搬送路（ＳＨ１）に搬送する第１給紙部材（Ｒｐ１＋Ｒｓ１）とを有する第１給紙装置（ＴＲ１＋Ｒｐ１＋Ｒｓ１）と、第２シートが収容された第２給紙トレイ（ＴＲ２）と前記第２給紙トレイ（ＴＲ２）から取出された第２シートを前記上流側シート搬送路（ＳＨ１）に供給する第２給紙路と前記第２給紙路に配置され且つ前記第２給紙トレイ（ＴＲ２）から前記第２シートを取出して前記上流側シート搬送路（ＳＨ１）に搬送する第２給紙部材（Ｒｐ２＋Ｒｓ２）とを有する第２給紙装置（ＴＲ２＋Ｒｐ２＋Ｒｓ２）とを備えた前記給紙装置（ＴＲ１＋Ｒｐ１＋Ｒｓ１〜ＴＲ４＋Ｒｐ４＋Ｒｓ４）、
（Ａ03）前記上流側シート搬送路（ＳＨ１）の前記第１給紙路との合流位置よりも下流側に配置され、給紙されたシートをレジロール上流側のレジ位置に一時的に停止させてから、所定のタイミングで前記画像記録位置（Ｑ３）に搬送するレジロール（Ｒｒ）、
（Ａ04）前記レジロール（Ｒｒ）の上流側に配置され且つ通過するシートを検出するレジセンサ（ＳＮ１）、
（Ａ05）前記上流側シート搬送路（ＳＨ１）に沿って下流側から上流側に向かって順次、前記レジセンサ（ＳＮ１）、前記上流側シート搬送路（ＳＨ１）に対する第１給紙路の合流点である第１合流点、および第２給紙路の合流点である第２合流点が配置されるように、配置された前記第１給紙路および前記第２給紙路、
（Ａ06）前記第１シートと前記第２シートとが前記画像記録位置（Ｑ３）の通過時に積層状態で搬送されることを指示するシート積層搬送指示部材（ＵＩ５,ＵＩ６）、
（Ａ07）前記シート積層搬送が指示されたときに、前記給紙装置（ＴＲ１＋Ｒｐ１＋Ｒｓ１〜ＴＲ４＋Ｒｐ４＋Ｒｓ４）および前記レジロール（Ｒｒ）の動作を制御して、前記第１シートと第２シートとが積層状態で前記画像記録位置（Ｑ３）を通過するように、前記シートを搬送するシート積層搬送手段（Ｃ６）。
【００１０】
（第１発明の作用）
前記構成要件（Ａ01）〜（Ａ07）を備えた第１発明の画像形成装置用のシート搬送装置では、画像記録位置（Ｑ３）のシート搬送方向上流側に配置された上流側シート搬送路（ＳＨ１）は、給紙装置（ＴＲ１＋Ｒｐ１＋Ｒｓ１〜ＴＲ４＋Ｒｐ４＋Ｒｓ４）から給紙されたシートを画像記録位置（Ｑ３）に搬送する。画像記録位置（Ｑ３）の下流側に配置された下流側シート搬送路（ＳＨ２）は、前記画像記録位置（Ｑ３）に搬送されたシートを排紙トレイ（ＴＲｈ）に搬送する。
第１給紙装置（ＴＲ１＋Ｒｐ１＋Ｒｓ１）の第１給紙路に配置された第１給紙部材（Ｒｐ１＋Ｒｓ１）は、第１給紙トレイから第１シートを取出して前記上流側シート搬送路（ＳＨ１）に搬送する。第２給紙装置（ＴＲ２＋Ｒｐ２＋Ｒｓ２）の第２給紙路に配置された第２給紙部材（Ｒｐ２＋Ｒｓ２）は、第２給紙トレイ（ＴＲ２）から第２シートを取出して前記上流側シート搬送路（ＳＨ１）に搬送する。
前記上流側シート搬送路（ＳＨ１）に配置されたレジロール（Ｒｒ）は、給紙されたシートをレジロール（Ｒｒ）上流側のレジ位置に一時的に停止させてから、所定のタイミングで前記画像記録位置（Ｑ３）に搬送する。前記レジロール（Ｒｒ）の上流側に配置されたレジセンサ（ＳＮ１）は通過するシートを検出する。前記上流側シート搬送路（ＳＨ１）の前記第１給紙路との合流位置よりも上流側に配置されたシート搬送ロールは、上流側シート搬送路（ＳＨ１）のシートを搬送する。
前記上流側シート搬送路（ＳＨ１）に沿って下流側から上流側に向かって順次、前記レジセンサ（ＳＮ１）、前記上流側シート搬送路（ＳＨ１）に対する第１給紙路の合流点である第１合流点、および第２給紙路の合流点である第２合流点が配置される。
シート積層搬送指示部材（ＵＩ５,ＵＩ６）は、前記第１シートと前記第２シートとが前記画像記録位置（Ｑ３）の通過時に積層状態で搬送されることを指示する。
前記シート積層搬送が指示されたときにシート積層搬送手段（Ｃ６）は、前記第１シートと第２シートとが積層状態で前記画像記録位置（Ｑ３）を通過するように、前記給紙装置（ＴＲ１＋Ｒｐ１＋Ｒｓ１〜ＴＲ４＋Ｒｐ４＋Ｒｓ４）および前記レジロール（Ｒｒ）の動作を制御する。
このように、第１シートおよび第２シートを積層状態で画像記録位置（Ｑ３）を通過させることにより、画像記録装置に特殊な機能を実現させることができる。また、第１シートおよび第２シートを積層状態で同時に搬送することにより、画像形成装置の生産効率を向上させることが可能となる。
【００１１】
（第１発明の形態１）
第１発明の形態１の画像形成装置用のシート搬送装置は、前記第１発明において次の構成要件（Ａ08），（Ａ09）を備えたことを特徴とする。
（Ａ08）第２給紙装置（ＴＲ２＋Ｒｐ２＋Ｒｓ２）が第２シートの給紙を開始してから第２シートの前端が前記画像記録位置（Ｑ３）に到達するまでの所要時間をＴ２とし、第１給紙装置（ＴＲ１＋Ｒｐ１＋Ｒｓ１）が第１シートの給紙を開始してから第１シートの前端が前記画像記録位置（Ｑ３）に到達するまでの所要時間をＴ１（Ｔ１＜Ｔ２）とした場合に、Ｔ２とＴ１との時間差ΔＴを記憶する所要時間差記憶手段（Ｃ６ａ）、
（Ａ09）前記所要時間Ｔ１が短いシートを前記所要時間Ｔ２が長いシートの給紙開始時刻からΔＴ時間だけ遅れて給紙開始するように前記第１給紙装置（ＴＲ１＋Ｒｐ１＋Ｒｓ１）および第２給紙装置（ＴＲ２＋Ｒｐ２＋Ｒｓ２）の動作を制御する給紙制御手段（Ｃ６ｂ）。
【００１２】
（第１発明の形態１の作用）
前記構成要件（Ａ08），（Ａ09）を備えた第１発明の形態１の画像形成装置用のシート搬送装置では、所要時間差記憶手段（Ｃ６ａ）は、第２給紙装置（ＴＲ２＋Ｒｐ２＋Ｒｓ２）が第２シートの給紙を開始してから第２シートの前端が前記画像記録位置（Ｑ３）に到達するまでの所要時間をＴ２とし、第１給紙装置（ＴＲ１＋Ｒｐ１＋Ｒｓ１）が第１シートの給紙を開始してから第１シートの前端が前記画像記録位置（Ｑ３）に到達するまでの所要時間をＴ１（Ｔ１＜Ｔ２）とした場合に、Ｔ２とＴ１との時間差ΔＴを記憶する。
給紙制御手段（Ｃ６ｂ）は、前記所要時間Ｔ１が短いシートを前記所要時間Ｔ２が長いシートの給紙開始時刻からΔＴ時間だけ遅れて給紙開始するように前記第１給紙装置（ＴＲ１＋Ｒｐ１＋Ｒｓ１）および第２給紙装置（ＴＲ２＋Ｒｐ２＋Ｒｓ２）の動作を制御する。
この場合、第２シートを給紙してから画像記録位置（Ｑ３）を通過させるまでの時間を短くすることができる。
【００１３】
（第１発明の形態２）
第１発明の形態２の画像形成装置用のシート搬送装置は、前記第１発明において次の構成要件（Ａ010）〜（Ａ012）を備えたことを特徴とする。
（Ａ010）透光性のＯＨＰシートである前記第１シートおよび遮光性の普通紙により形成された通常シートである前記第２シート、
（Ａ011）前記ＯＨＰシートである第１シートを先に給紙し、先行した第１シートが前記レジ位置に搬送され停止された状態で、前記通常シートである第２シートの前端がレジセンサ（ＳＮ１）を通過するように前記第１給紙装置（ＴＲ１＋Ｒｐ１＋Ｒｓ１）および第２給紙装置（ＴＲ２＋Ｒｐ２＋Ｒｓ２）の動作を制御する給紙制御手段（Ｃ６ｂ）、
（Ａ012）前記後から搬送される第２シートの先端が前記レジ位置で停止する第１シートの先端に追いついた時に前記レジロール（Ｒｒ）の回転を開始して、前記第１シートと第２シートとが積層状態で前記画像記録位置（Ｑ３）を通過するように、前記各シートを搬送するシート積層搬送手段（Ｃ６）。
【００１４】
（第１発明の形態２の作用）
前記構成要件（Ａ010）〜（Ａ012）を備えた第１発明の形態２の画像形成装置用のシート搬送装置では、給紙制御手段（Ｃ６ｂ）は、前記ＯＨＰシートである第１シートを先に給紙し、先行した第１シートが前記レジ位置に搬送され停止された状態で、前記通常シートである第２シートの前端がレジセンサ（ＳＮ１）を通過するように前記第１給紙装置（ＴＲ１＋Ｒｐ１＋Ｒｓ１）および第２給紙装置（ＴＲ２＋Ｒｐ２＋Ｒｓ２）の動作を制御する。
シート積層搬送手段（Ｃ６）は、前記後から搬送される第２シートの先端が前記レジ位置で停止する第１シートの先端に追いついた時に前記レジロール（Ｒｒ）の回転を開始して、前記第１シートと第２シートとが積層状態で前記画像記録位置（Ｑ３）を通過するように、前記各シートを搬送する。
【００１５】
（第１発明の形態３）
第１発明の形態３の画像形成装置用のシート搬送装置は、前記第１発明の形態２において次の構成要件（Ａ013），（Ａ014）を備えたことを特徴とする。
（Ａ013）前記レジセンサ（ＳＮ１）とレジロール（Ｒｒ）との間に配置され、通過するシートが透光性のＯＨＰシートであるか遮光性の通常紙であるかを検出するＯＨＰセンサ（ＳＮ２）、
（Ａ014）前記ＯＨＰセンサ（ＳＮ２）が検出した第１シートが透光性でない場合にはユーザにエラー発生を告知するエラー発生告知手段（Ｃ７）。
【００１６】
（第１発明の形態３）
前記構成要件（Ａ013），（Ａ014）を備えた第１発明の形態３の画像形成装置用のシート搬送装置では、前記レジセンサ（ＳＮ１）とレジロール（Ｒｒ）との間に配置されたＯＨＰセンサ（ＳＮ２）は、通過するシートが透光性のＯＨＰシートであるか遮光性の通常紙であるかを検出する。前記ＯＨＰセンサ（ＳＮ２）が検出した第１シートが透光性でない場合には、エラー発生告知手段（Ｃ７）はユーザにエラー発生を告知する。
【００１７】
（第１発明の形態４）
第１発明の形態４の画像形成装置用のシート搬送装置は、前記第１発明において次の構成要件（Ａ015）〜（Ａ017）を備えたことを特徴とする。
（Ａ015）封緘用シートである前記第１シートおよび前記封緘用シートにより被覆される文書が形成された文書シートである前記第２シート、
（Ａ016）前記封緘用シートである第１シートを先に給紙し、先行した第１シートが前記レジ位置に搬送され停止された状態で、前記文書シートである第２シートの前端がレジセンサ（ＳＮ１）を通過するように前記第１給紙装置（ＴＲ１＋Ｒｐ１＋Ｒｓ１）および第２給紙装置（ＴＲ２＋Ｒｐ２＋Ｒｓ２）の動作を制御する給紙制御手段（Ｃ６ｂ）、
（Ａ017）前記後から搬送される第２シートの先端が前記レジ位置で停止する第１シートの先端に追いついた時に前記レジロール（Ｒｒ）の回転を開始して、前記第１シートと第２シートとが積層状態で且つ前記文書シートの文書が封緘用シートで被覆された状態で前記画像記録位置（Ｑ３）を通過するように、前記各シートを搬送するシート積層搬送手段（Ｃ６）。
【００１８】
（第１発明の形態４の作用）
前記構成要件（Ａ015）〜（Ａ017）を備えた第１発明の形態４の画像形成装置用のシート搬送装置では、前記第１給紙装置（ＴＲ１＋Ｒｐ１＋Ｒｓ１）および第２給紙装置（ＴＲ２＋Ｒｐ２＋Ｒｓ２）の動作を制御する給紙制御手段（Ｃ６ｂ）は、前記封緘用シートである第１シートを先に給紙し、先行した第１シートが前記レジ位置に搬送され停止された状態で、前記文書シートである第２シートの前端がレジセンサ（ＳＮ１）を通過するように給紙する。
シート積層搬送手段（Ｃ６）は、前記後から搬送される第２シートの先端が前記レジ位置で停止する第１シートの先端に追いついた時に前記レジロール（Ｒｒ）の回転を開始して、前記第１シートと第２シートとが積層状態で且つ前記文書シートの文書が封緘用シートで被覆された状態で前記画像記録位置（Ｑ３）を通過するように、前記各シートを搬送する。
【００１９】
（第２発明）
第２発明の画像形成装置用のシート搬送装置は、次の構成要件（Ａ01）〜（Ａ07），（Ａ01a），（Ａ07a）を備えたことを特徴とする。
（Ａ01）給紙装置（ＴＲ１＋Ｒｐ１＋Ｒｓ１〜ＴＲ４＋Ｒｐ４＋Ｒｓ４）から給紙されたシートを画像記録位置（Ｑ３）に搬送するために前記画像記録位置（Ｑ３）のシート搬送方向上流側に配置された上流側シート搬送路（ＳＨ１）と、前記画像記録位置（Ｑ３）に搬送されたシートを排紙トレイ（ＴＲｈ）に搬送するために画像記録位置（Ｑ３）の下流側に配置された下流側シート搬送路（ＳＨ２）とを有するシート搬送路（ＳＨ）、
（Ａ01a）前記画像記録位置（Ｑ３）を通過して下流側シート搬送路（ＳＨ２）に搬送されたシートを反転させて前記上流側シート搬送路（ＳＨ１）との合流点である再送シート合流点に再送するシート反転再送路を有する前記シート搬送路（ＳＨ）、
（Ａ02）第１シートが収容された第１給紙トレイと前記第１給紙トレイから取出された第１シートを前記上流側シート搬送路（ＳＨ１）に供給する第１給紙路と前記第１給紙路に配置され且つ前記第１給紙トレイから第１シートを取出して前記上流側シート搬送路（ＳＨ１）に搬送する第１給紙部材（Ｒｐ１＋Ｒｓ１）とを有する第１給紙装置（ＴＲ１＋Ｒｐ１＋Ｒｓ１）と、第２シートが収容された第２給紙トレイ（ＴＲ２）と前記第２給紙トレイ（ＴＲ２）から取出された第２シートを前記上流側シート搬送路（ＳＨ１）に供給する第２給紙路と前記第２給紙路に配置され且つ前記第２給紙トレイ（ＴＲ２）から前記第２シートを取出して前記上流側シート搬送路（ＳＨ１）に搬送する第２給紙部材（Ｒｐ２＋Ｒｓ２）とを有する第２給紙装置（ＴＲ２＋Ｒｐ２＋Ｒｓ２）とを備えた前記給紙装置（ＴＲ１＋Ｒｐ１＋Ｒｓ１〜ＴＲ４＋Ｒｐ４＋Ｒｓ４）、
（Ａ03）前記上流側シート搬送路（ＳＨ１）の第１給紙路との合流位置よりも下流側に配置され、給紙されたシートをレジロール（Ｒｒ）上流側のレジ位置に一時的に停止させてから、所定のタイミングで前記画像記録位置（Ｑ３）に搬送するレジロール（Ｒｒ）、
（Ａ04）前記レジロール（Ｒｒ）の上流側に配置され且つ通過するシートを検出するレジセンサ（ＳＮ１）、
（Ａ05）前記上流側シート搬送路（ＳＨ１）に沿って下流側から上流側に向かって順次、前記レジセンサ（ＳＮ１）、前記上流側シート搬送路（ＳＨ１）に対する第１給紙路の合流点である第１合流点、および第２給紙路の合流点である第２合流点が配置されるように、配置された前記第１給紙路および前記第２給紙路、
（Ａ06）前記第１シートと前記第２シートとが前記画像記録位置（Ｑ３）の通過時に積層状態で搬送されることを指示するシート積層搬送指示部材（ＵＩ５,ＵＩ６）、
（Ａ07）前記シート積層搬送が指示されたときに、前記給紙装置（ＴＲ１＋Ｒｐ１＋Ｒｓ１〜ＴＲ４＋Ｒｐ４＋Ｒｓ４）および前記レジロール（Ｒｒ）の動作を制御して、前記第１シートと第２シートとが積層状態で前記画像記録位置（Ｑ３）を通過するように、前記シートを搬送するシート積層搬送手段（Ｃ６）、
（Ａ07a）第１シートまたは第２シートの中の一方のシートであって前記画像記録位置（Ｑ３）および前記シート反転再送路を２回通過してから前記上流側シート搬送路（ＳＨ１）に再々送された反転再々送シートと他方のシートとが積層状態で前記画像記録位置（Ｑ３）を通過するように、前記各シートを搬送する前記シート積層搬送手段（Ｃ６）。
【００２０】
（第２発明の作用）
前記構成要件（Ａ01）〜（Ａ07），（Ａ01a），（Ａ07a）を備えた第２発明の画像形成装置用のシート搬送装置では、画像記録位置（Ｑ３）のシート搬送方向上流側に配置された上流側シート搬送路（ＳＨ１）は、給紙装置（ＴＲ１＋Ｒｐ１＋Ｒｓ１〜ＴＲ４＋Ｒｐ４＋Ｒｓ４）から給紙されたシートを画像記録位置（Ｑ３）に搬送する。画像記録位置（Ｑ３）の下流側に配置された下流側シート搬送路（ＳＨ２）は、前記画像記録位置（Ｑ３）に搬送されたシートを排紙トレイ（ＴＲｈ）に搬送する。
シート反転再送路は、前記画像記録位置（Ｑ３）を通過して下流側シート搬送路（ＳＨ２）に搬送されたシートを反転させて前記上流側シート搬送路（ＳＨ１）との合流点である再送シート合流点に再送する。この場合両面記録が可能となる。
第１給紙装置（ＴＲ１＋Ｒｐ１＋Ｒｓ１）の第１給紙路に配置された第１給紙部材（Ｒｐ１＋Ｒｓ１）は、第１給紙トレイから第１シートを取出して前記上流側シート搬送路（ＳＨ１）に搬送する。第２給紙装置（ＴＲ２＋Ｒｐ２＋Ｒｓ２）の第２給紙路に配置された第２給紙部材（Ｒｐ２＋Ｒｓ２）は、第２給紙トレイ（ＴＲ２）から第２シートを取出して前記上流側シート搬送路（ＳＨ１）に搬送する。
前記上流側シート搬送路（ＳＨ１）に配置されたレジロール（Ｒｒ）は、給紙されたシートをレジロール（Ｒｒ）上流側のレジ位置に一時的に停止させてから、所定のタイミングで前記画像記録位置（Ｑ３）に搬送する。前記レジロール（Ｒｒ）の上流側に配置されたレジセンサ（ＳＮ１）は通過するシートを検出する。前記上流側シート搬送路（ＳＨ１）の前記第１給紙路との合流位置よりも上流側に配置されたシート搬送ロールは、上流側シート搬送路（ＳＨ１）のシートを搬送する。
前記上流側シート搬送路（ＳＨ１）に沿って下流側から上流側に向かって順次、前記レジセンサ（ＳＮ１）、前記上流側シート搬送路（ＳＨ１）に対する第１給紙路の合流点である第１合流点、および第２給紙路の合流点である第２合流点が配置される。
シート積層搬送指示部材（ＵＩ５,ＵＩ６）は、前記第１シートと前記第２シートとが前記画像記録位置（Ｑ３）の通過時に積層状態で搬送されることを指示する。
前記シート積層搬送が指示されたときにシート積層搬送手段（Ｃ６）は、前記第１シートと第２シートとが積層状態で前記画像記録位置（Ｑ３）を通過するように、前記給紙装置（ＴＲ１＋Ｒｐ１＋Ｒｓ１〜ＴＲ４＋Ｒｐ４＋Ｒｓ４）および前記レジロール（Ｒｒ）の動作を制御する。
シート積層搬送手段（Ｃ６）は、第１シートまたは第２シートの中の一方のシートであって前記画像記録位置（Ｑ３）および前記シート反転再送路を２回通過してから前記上流側シート搬送路（ＳＨ１）に再々送された反転再々送シートと他方のシートとが積層状態で前記画像記録位置（Ｑ３）を通過するように、前記各シートを搬送する。
このように、第１シートおよび第２シートを積層状態で画像記録位置（Ｑ３）を通過させることにより、画像記録装置に特殊な機能を実現させることができる。また、第１シートおよび第２シートを積層状態で同時に搬送することにより、画像形成装置の生産効率を向上させることが可能となる。
【００２１】
（第２発明の形態１）
第２発明の形態１の画像形成装置用のシート搬送装置は、第２発明において、次の構成要件（Ａ018），（Ａ019）を備えたことを特徴とする。
（Ａ018）前記第１シートおよび前記第２シートの中の一方のシートを構成し且つ両面印字される前記再々送シート、
（Ａ019）前記第１シートおよび前記第２シートの中の他方のシートを構成し且つ前記両面印字された再々送シートの１面目を被覆し且つ外周辺が前記１面目の外周辺に加熱加圧接着される封緘用シート。
【００２２】
（第２発明の形態１の作用）
前記構成要件（Ａ018），（Ａ019）を備えた第２発明の形態１の画像形成装置用のシート搬送装置では、前記第１シートおよび前記第２シートの中の一方のシートを構成する再々送シートは、両面印字される。前記第１シートおよび前記第２シートの中の他方のシートを構成する封緘用シートは、前記両面印字された再々送シートの１面目を被覆し且つ外周辺が前記１面目の外周辺に加熱加圧接着される。
【００２３】
（第２発明の形態２）
第２発明の形態２の画像形成装置用のシート搬送装置は、前記第２発明の形態１において次の構成要件（Ａ020）〜（Ａ022）を備えたことを特徴とする。
（Ａ020）前記シート反転再送路または上流側シート搬送路（ＳＨ１）に配置され且つ前記反転再々送シートの通過時刻を検出する再々送シートセンサ（ＳＮ３）、
（Ａ021）前記再々送シートセンサ（ＳＮ３）が前記再々送された反転再々送シートの前端を検出してから前記再々送された反転再々送シートの前端が前記画像記録位置（Ｑ３）に到達するまでの所要時間をＴ４とし、前記封緘用シートを給紙する給紙装置（ＴＲ１＋Ｒｐ１＋Ｒｓ１〜ＴＲ４＋Ｒｐ４＋Ｒｓ４）が封緘用シートの給紙を開始してから前記封緘用シートの前端が前記画像記録位置（Ｑ３）に到達するまでの所要時間をＴ３（Ｔ３＜Ｔ４）とした場合に、Ｔ３とＴ４との時間差ΔＴを記憶する所要時間差記憶手段（Ｃ６ａ）、
（Ａ022）前記所要時間Ｔ３の短い他方のシートを前記所要時間Ｔ４の長い再々送シートの検出通過時刻からΔＴ時間だけ遅れて給紙開始するように前記封間用シートを給紙する給紙装置（ＴＲ１＋Ｒｐ１＋Ｒｓ１〜ＴＲ４＋Ｒｐ４＋Ｒｓ４）の動作を制御する給紙制御手段（Ｃ６ｂ）。
【００２４】
（第２発明の形態２の作用）
前記構成要件（Ａ020）〜（Ａ022）を備えた第２発明の形態２の画像形成装置用のシート搬送装置では、前記シート反転再送路または上流側シート搬送路（ＳＨ１）に配置された再々送シートセンサ（ＳＮ３）は、前記反転再々送シートの通過時刻を検出する。
所要時間差記憶手段（Ｃ６ａ）は、前記再々送シートセンサ（ＳＮ３）が前記再々送された反転再々送シートの前端を検出してから前記再々送された反転再々送シートの前端が前記画像記録位置（Ｑ３）に到達するまでの所要時間をＴ４とし、前記封緘用シートを給紙する給紙装置（ＴＲ１＋Ｒｐ１＋Ｒｓ１〜ＴＲ４＋Ｒｐ４＋Ｒｓ４）が封緘用シートの給紙を開始してから前記封緘用シートの前端が前記画像記録位置（Ｑ３）に到達するまでの所要時間をＴ３（Ｔ３＜Ｔ４）とした場合に、Ｔ３とＴ４との時間差ΔＴを記憶する。
給紙装置（ＴＲ１＋Ｒｐ１＋Ｒｓ１〜ＴＲ４＋Ｒｐ４＋Ｒｓ４）の動作を制御する給紙制御手段（Ｃ６ｂ）は、前記所要時間Ｔ３の短い他方のシートを前記所要時間Ｔ４の長い再々送シートの検出通過時刻からΔＴ時間だけ遅れて給紙開始するように前記封間用シートを給紙する。
この場合、前記再々送シートを給紙してから、再々送シートおよび封緘用シートを積層状態で画像記録位置（Ｑ３）を通過させるまでの時間を短くすることができるので、画像形成装置の生産効率を向上させることができる。
【００２５】
（第２発明の形態３）
第２発明の形態３の画像形成装置用のシート搬送装置は、第２発明の形態１において次の構成要件（Ａ023），（Ａ024）を備えたことを特徴とする。
（Ａ023）前記再々送シートと封緘用シートとの中のいずれか一方のシートが前記レジ位置に搬送され停止された状態で、他方のシートの前端がレジセンサ（ＳＮ１）を通過するように前記第１給紙装置（ＴＲ１＋Ｒｐ１＋Ｒｓ１）または第２給紙装置（ＴＲ２＋Ｒｐ２＋Ｒｓ２）の動作を制御する給紙制御手段（Ｃ６ｂ）、
（Ａ024）前記後から搬送される他方のシートの先端が前記レジ位置で停止している前記一方のシートの先端に追いついた時に前記レジロール（Ｒｒ）の回転を開始して、前記再々送シートと封緘用シートとが積層状態で前記画像記録位置（Ｑ３）を通過するように、前記各シートを搬送するシート積層搬送手段（Ｃ６）。
【００２６】
（第２発明の形態３の作用）
前記構成要件（Ａ023），（Ａ024）を備えた第２発明の形態３の画像形成装置用のシート搬送装置では、前記第１給紙装置（ＴＲ１＋Ｒｐ１＋Ｒｓ１）または第２給紙装置（ＴＲ２＋Ｒｐ２＋Ｒｓ２）の動作を制御する給紙制御手段（Ｃ６ｂ）は、前記再々送シートと封緘用シートとの中のいずれか一方のシートが前記レジ位置に搬送され停止された状態で、他方のシートの前端がレジセンサ（ＳＮ１）を通過するように給紙する。
シート積層搬送手段（Ｃ６）は、前記後から搬送される他方のシートの先端が前記レジ位置で停止している前記一方のシートの先端に追いついた時に前記レジロール（Ｒｒ）の回転を開始して、前記再々送シートと封緘用シートとが積層状態で前記画像記録位置（Ｑ３）を通過するように、前記各シートを搬送する。
【００２７】
（第３発明）
第３発明の画像形成装置は、次の構成要件（Ａ025）〜（Ａ027）を備えたことを特徴とする。
（Ａ025）前記請求項１ないし９のいずれか記載のシート搬送装置、
（Ａ026）前記画像記録位置（Ｑ３）を通過するシート表面にトナー像を形成するトナー像形成装置（ＴＲ＋Ｋ）、
（Ａ027）前記画像記録位置（Ｑ３）を通過したシート上のトナー像を加熱定着する定着装置（Ｆ）。
【００２８】
（第３発明の作用）
前記構成要件（Ａ025）〜（Ａ027）を備えた第３発明の画像形成装置では、トナー像形成装置（ＴＲ＋Ｋ）は、前記画像記録位置（Ｑ３）を通過するシート表面にトナー像を形成する。定着装置（Ｆ）は、前記画像記録位置（Ｑ３）を通過したシート上のトナー像を加熱定着する。第３発明の画像形成装置は前記第１発明、第１発明の形態１〜４、第２発明、または第２発明の形態１〜３のいずれかのシート搬送装置を備えているで、画像記録装置に特殊な機能を実現させることが可能となる。また、画像形成装置の生産効率を向上させることが可能となる。
【発明の効果】
【００２９】
前述の本発明の紙粉除去部材は、下記の効果（Ｅ01）を奏する。
（Ｅ01）画像形成動作時に異なる２種類のシートを給紙する画像形成装置用のシート搬送装置および画像形成装置において、画像形成シートの生産効率を低下させることなく、特殊な機能を実現することが可能となる。
【００３０】
次に図面を参照しながら、本発明の実施の形態を説明するが、本発明は以下の実施の形態に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００３１】
（実施例１）
図１は実施例１のシート搬送装置を備えた画像形成装置（デジタル複写機）の縦断面図である。
図１において、実施例１のシート搬送装置を備えた画像形成装置（デジタル複写機）Ｕは、画像形成装置本体Ｕ１、自動原稿搬送装置Ｕ２を有している。前記画像形成装置本体Ｕ１は、ＩＯＴ（イメージアウトプットターミナル、すなわち、画像出力部）、ＩＩＴ（イメージインプットターミナル、すなわち画像読取部）を有している。
前記自動原稿搬送装置Ｕ２は、ＩＩＴ上面のプラテンガラスＰＧ上に支持されている。前記ＩＯＴ上面には上方のＩＩＴとの間にシート排出トレイＴＲｈが設けられている。
【００３２】
図１において、前記自動原稿搬送装置Ｕ２は、複写しようとする複数の原稿Ｇｉが重ねて載置される原稿給紙トレイＴＧ1を有している。前記原稿給紙トレイＴＧ1に載置された複数の各原稿Ｇｉは順次プラテンガラスＰＧ上の複写位置を通過して原稿排紙トレイＴＧ2に排出されるように構成されている。前記自動原稿搬送装置Ｕ２は、その後端部（−Ｘ端部）に設けた左右方向に延びるヒンジ軸（図示せず）により前記プラテンガラスＰＧ上面に対して回動可能であり、原稿Ｇｉを作業者が手でプラテンガラスＰＧ上に置く場合に上方に回動される。
前記画像形成装置本体Ｕ1は、ユーザがコピースタート等の作動指令信号を入力操作するＵＩ（ユーザインタフェース）を有している。
【００３３】
前記透明なプラテンガラスＰＧの下方には原稿画像を読み取るための露光光学系Ａが配置されている。
前記自動原稿搬送装置Ｕ2によりプラテンガラスＰＧ上面に搬送される原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム）は、ＣＣＤから入力されるＲＧＢの電気信号を画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、ＩＰＳおよびレーザ駆動信号出力装置ＤＬと、後述の現像ロールＲ０、転写ロールＴＲにバイアス電圧を印加する電源回路Ｅ等の動作はコントローラＣにより制御される。
【００３４】
前記ＲＯＳの左方（−Ｙ方向）の端部には転写ロールＴＲが配置されており、前記転写ロールＴＲと前記ＲＯＳとの間の空間には、画像形成装置本体（第１連結部材）Ｕ１に対して着脱可能なプロセスカートリッジ（第２連結部材）Ｋが装着されている。プロセスカートリッジＫは、クリーナユニットＣＬと現像ユニットＧとを有している。前記転写ロールＴＲと前記プロセスカートリッジＫとによりトナー像形成装置（ＴＲ＋Ｋ）が構成されている。
クリーナユニットＣＬはトナー回収容器Ｔと、このトナー回収容器Ｔに支持された像担持体（感光体）ＰＲ、帯電ロールＣＲおよびクリーニングブラシＢ等により構成されている。現像ユニットＧは、現像剤を収容する現像容器Ｖと、この現像容器Ｖに回転可能に支持された現像ロールＲ０および現像剤攪拌部材Ｒ１，Ｒ２，Ｒ３等により構成されている。
【００３５】
感光体ドラムにより構成される像担持体ＰＲはその軸ＰＲａと一体的に矢印方向に回転しており、その表面は、帯電ロールＣＲにより一様に帯電された後、潜像書込位置において前記ＲＯＳ（潜像形成装置）のレーザビームＬにより露光走査されて静電潜像が形成される。
前記静電潜像が形成された像担持体ＰＲ表面は回転移動して現像領域Ｑ２（像担持体ＰＲおよび現像ロールＲ０が対向する領域）、転写領域Ｑ３（感光体ＰＲおよび転写ロールＴＲが対向する領域）を順次通過する。
現像ユニットＧは、前記現像領域Ｑ２を通過する像担持体ＰＲ上の静電潜像をトナー像に現像する。
【００３６】
前記プロセスカートリッジＫの下方には複数の給紙トレイＴＲ1〜ＴＲ4が配置されている。前記複数の給紙トレイＴＲ1〜ＴＲ4は、記録用シートを収容しており、その左右両側に前後方向（図１で紙面に垂直な方向）に沿って配置された一対のレールＲＬ１，ＲＬ１に沿って移動可能に支持されている。
前記各給紙トレイＴＲ1〜ＴＲ4から、ピックアップロールＲｐ１〜Ｒｐ４により取出された記録シートは、リタードロールおよび給紙ロールを有するさばきロールＲｓ１〜Ｒｓ４により１枚づつ分離されて、シート搬送路ＳＨに沿って配置された複数のシート搬送ロールＲａにより搬送され、レジロールＲｒで一旦停止されてから所定のタイミングで、前記転写領域Ｑ３に搬送される。前記シート搬送路ＳＨは、各給紙トレイＴＲ1〜ＴＲ4からレジロールＲｒまでの上流側シート搬送路ＳＨ１と前記レジロールＲｒから排出トレイＴＲｈまでの下流側シート搬送路ＳＨ２とを有している。前記レジリールＲｒの下方には、前記シート搬送路ＳＨを通過する記録用シートを検知するレジセンサＳＮ１が設けられている。
また、前記手差トレイＴＲ0から給紙された記録シートＳも前記シート搬送路ＳＨに沿って配置されたシート搬送ロールＲａ、レジロールＲｒにより前記転写領域Ｑ３に搬送される。
【００３７】
前記転写ロールＴＲは転写領域Ｑ３において前記像担持体ＰＲに圧接しており、転写領域Ｑ３を通過する記録シートに像担持体ＰＲ上のトナー像を転写する。転写領域Ｑ３において像担持体ＰＲ表面のトナー像が記録シートに転写された後、前記像担持体ＰＲ表面に付着した残留トナーは、クリーナユニットＣＬのクリーニングブラシＢによりトナー回収容器Ｔに回収される。
【００３８】
前記転写領域Ｑ３において未定着のトナー像が転写された記録シートは、トナー像が未定着の状態で定着領域Ｑ４に搬送され、定着領域Ｑ４に配置された定着装置Ｆの一対の定着ロールＦｈ，Ｆｐによりトナー像が定着される。定着トナー像が形成された記録シートは、定着領域下流側のシートガイドＳＧ１にガイドされて排紙ロール（標準排出ロール）Ｒ１に搬送され、前記排紙ロールＲ１によりシート排出トレイＴＲｈに排出される。前記排出ローラの近傍には、排出されるシートを検知する排出センサＳＮｅが配置されている。
図１において、前記排紙ロールＲ１の左方には、オプション装置（シート反転装置）Ｕ３の装着時に、画像形成装置本体Ｕ１内に装着されるシート反転排出用ガイドＳＧ３（図１参照）およびオプション排出ロールＲ２（図１参照）が２点鎖線（仮想線）で示されている。
図１において画像形成装置本体Ｕ１の上部左側面にはオプション装置であるシート反転装置Ｕ３が着脱可能に装着可能である。記録シートの両面に画像記録を行う場合、片面記録済の記録シートは前記オプション排出ロールＲ２からシート反転装置Ｕ３を通って、表裏反転した状態で前記転写領域Ｑ３に再送される。
【００３９】
図２は実施例１のシート搬送装置を備えた画像形成装置（デジタル複写機）によりＯＨＰシートに印字する際または封緘書類を作成する際のシート搬送方法の説明図で、図２Ａは下側給紙トレイ（第２給紙トレイ）から第２シートが搬送されている状態を示す図、図２Ｂは上側給紙トレイ（第１給紙トレイ）から給紙される第１シートの先端と第２シートの先端とが同一位置になるように上側給紙トレイから第１シートが給紙された状態を示す図、図２Ｃは上側給紙トレイから給紙された第１シート前端部と下側給紙トレイから給紙された第２シート前端部とが重なってレジロールに搬送された状態を示す図である。
【００４０】
本実施例１では、次の（１）、（２）の場合には、図２に示すように第１シートおよび第２シートが積層状態となって転写領域Ｑ３を通過するように各シートが搬送される。
（１） ＯＨＰシートに印字する場合。
（２）封緘書類を作成する場合。
前記（１）の場合、図２において前記上側給紙トレイＴＲ１にはＯＨＰシート（第１シート）が収容されており、前記下側給紙トレイＴＲ２には挿入シート（第２シート）が収容されている。
図２Ａにおいて、ジョブが開始されると、下側給紙トレイ（第２給紙トレイ）ＴＲ２からピックアップロールＲｐ２により挿入シート（第２シート）の搬送が開始される。
図２Ｂにおいて、前記挿入シート（第２シート）の先端と上側給紙トレイ（第１トレイ）ＴＲ１に収容されているＯＨＰシート（第１シート）の先端とが同一位置になるように上側給紙トレイＴＲ１からＯＨＰシートを給紙する。
図２Ｃにおいて、上側給紙トレイＴＲ１から給紙されたＯＨＰシート前端部と下側給紙トレイＴＲ２から給紙された挿入シート前端部とが重なってレジロールに搬送される。
【００４１】
前記（２）の場合、図２において前記上側給紙トレイＴＲ１には封緘用シート（第１シート）が接着面（糊付面）を下向きにして収容されており、前記下側給紙トレイＴＲ２には文書シート（第２シート）が文書面（文書が印字されている面）を上向きにして収容されている。
図２Ａにおいて、ジョブが開始されると、下側給紙トレイ（第２給紙トレイ）ＴＲ２からピックアップロールＲｐ２により文書シート（第２シート）の搬送が開始される。
図２Ｂにおいて、前記文書シート（第２シート）の先端と上側給紙トレイ（第１トレイ）ＴＲ１に収容されている封緘用シート（第１シート）の先端とが同一位置になるように上側給紙トレイＴＲ１から封緘用シートを給紙する。
図２Ｃにおいて、上側給紙トレイＴＲ１から給紙された封緘用シート前端部と下側給紙トレイＴＲ２から給紙された文書シート前端部とが重なってレジロールに搬送される。
【００４２】
（実施例１の制御部の説明）
図３は本発明の画像形成装置用のシート搬送装置および画像形成装置の実施例１の制御部の機能ブロック線図である。
図３において、前記画像形成装置ＵのコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００４３】
（コントローラＣに接続された信号出力要素）
前記コントローラＣは、ＵＩ（ユーザインタフェース）、レジセンサＳＮ1、排出センサＳＮｅ、その他の信号出力要素からの出力信号が入力されている。
ユーザインタフェースＵＩ：
ユーザインタフェースＵＩは、表示器ＵＩ１、コピースタートキーＵＩ２、テンキーＵＩ３、両面記録モード設定キーＵＩ４、ＯＨＰ印字指定キーＵＩ５、封緘書類作成指定キーＵＩ６、キャンセルキーＵＩ７等を備えている。
前記表示器ＵＩ１には、電源オン時に初期画面が表示され、その状態で前記ＯＨＰ印字指定キーＵＩ５が入力されるとＯＨＰ印字指定時のトレイ設定画面（図４Ａ参照）が表示され、前記封緘書類作成指定キーＵＩ６が入力されると封緘書類作成時のトレイ設定画面（図４Ｂ参照）が表示される。
【００４４】
前記キャンセルキーＵＩ７は、各トレイ設定画面（図４Ａ、図４Ｂ参照）が表示器ＵＩ１に表示されている状態で入力されると、前記表示器ＵＩ１に初期画面が表示される。
レジセンサＳＮ1：
レジセンサＳＮ1は、給紙トレイＴＲ１〜ＴＲ４の下流側のシート搬送路ＳＨに配置されており、前記シート搬送路ＳＨを搬送されるシートの前端および後端を検出する。
排出センサＳＮｅ：
排出センサＳＮｅは、排出トレイＴＲｈに排出されるシートの前端および後端を検出する。
【００４５】
（コントローラＣに接続された被制御要素）
メインモータ駆動回路Ｄ1：
メインモータ駆動回路Ｄ1はメインモータＭ１を介して像担持体ＰＲ、排出ロールＲ１、現像装置Ｄの現像ロール、定着装置Ｆの加熱ロールＦｈ、ピックアップロールＲｓ１〜Ｒｓ４、シート搬送ロールＲａ、レジロールＲｒ等を回転駆動する。
電源回路Ｅ：
電源回路Ｅは現像バイアス用電源回路Ｅ１、帯電用電源回路Ｅ２、転写ロール用電源回路Ｅ３、加熱ロール用電源回路Ｅ４等を有している。
【００４６】
前記現像バイアス用電源回路Ｅ１は、現像装置Ｇの現像ロールＲ０に現像バイアスを印加する。
前記帯電用電源回路Ｅ２は、帯電ロールＣＲに帯電バイアスを印加する。
前記転写ロール用電源回路Ｅ３は、転写ロールＲｔに転写バイアスを印加する。
前記加熱ロール用電源回路Ｅ４は、定着装置Ｆの加熱ロールＦｈのヒータに加熱用電流を供給する。
【００４７】
ピックアップロール昇降ソレノイド駆動回路Ｄｐ１〜Ｄｐ４：
ピックアップロール昇降ソレノイド駆動回路Ｄｐ１〜Ｄｐ４は、ピックアップロール昇降ソレノイドＳＬ１〜ＳＬ４を介して、ピックアップロールＲｐ１〜Ｒｐ４の昇降を制御する。
前記ピックアップロールＲｐ１〜Ｒｐ４は、前記ピックアップロール昇降ソレノイドＳＬ１〜ＳＬ４がオフのときはシート上面から上方に離れた上昇位置に保持されている。また、前記ピックアップロール昇降ソレノイドＳＬ１〜ＳＬ４がオンのときは、前記ピックアップロールＲｐ１〜Ｒｐ４は下降してシート上面に当接してシートを取出す。
電磁クラッチ駆動回路Ｄｒ：
電磁クラッチ駆動回路Ｄｒは、レジロール用電磁クラッチＣＬｒを介して、レジロールＲｒの回転を制御する。
前記レジロールＲｒは、前記レジロール用電磁クラッチＣＬｒがオフのときは回転を停止する。また、前記レジロール用電磁クラッチＣＬｒがオンのときは、レジロールＲｒは回転し、シートを転写領域Ｑ３に搬送する。
【００４８】
（コントローラＣの機能）
前記コントローラＣは、前記信号出力要素からの入力信号に応じた処理を実行して、前記各被制御要素に制御信号を出力する機能を有している。
すなわち、コントローラＣは次の手段Ｃ１〜Ｃ８の機能を有している。
（メインモータ回転制御手段Ｃ１）
メインモータ回転制御手段Ｃ１は、前記メインモータ駆動回路Ｄ１を制御して、像担持体ＰＲや現像装置Ｇの現像ロール、定着装置Ｆの加熱ロールＦｈ等の回転を制御する。
（電源制御手段Ｃ２）
電源制御手段Ｃ２は、電源回路Ｅを制御して、帯電ロールＣＲや転写ロールＲｔ、定着装置Ｆ等への電圧、電流の供給を制御する。
【００４９】
（ＯＨＰ印字指定時のトレイ設定記憶手段Ｃ３）
ＯＨＰ印字指定時のトレイ設定記憶手段Ｃ３は、ＯＨＰ印字指定時のトレイ設定画面表示手段Ｃ３ａ、ＯＨＰシート給紙トレイ記憶手段Ｃ３ｂおよび挿入シート給紙トレイ記憶手段Ｃ３ｃを有している。
（ＯＨＰ印字指定時のトレイ設定画面表示手段Ｃ３ａ）
ＯＨＰ印字指定時のトレイ設定画面表示手段Ｃ３ａは、ＯＨＰ印字指定キーＵＩ５が入力された時にＯＨＰ印字時のトレイ設定画像をユーザインタフェースＵＩに表示する。
（ＯＨＰシート給紙トレイ記憶手段Ｃ３ｂ）
ＯＨＰシート給紙トレイ記憶手段Ｃ３ｂは、前記ＯＨＰ印字指定時のトレイ設定画面表示手段Ｃ３ａによりＯＨＰ印字時の給紙トレイ設定画像が表示された状態で、設定されたＯＨＰシート給紙トレイ番号ＴＲｎを記憶する。
（挿入シート給紙トレイ記憶手段Ｃ３ｃ）
挿入シート給紙トレイ記憶手段Ｃ３ｃは、前記ＯＨＰ印字指定時のトレイ設定画面表示手段Ｃ３ａによりＯＨＰ印字時の給紙トレイ設定画像が表示された状態で、設定された挿入シート給紙トレイ番号ＴＲｍを記憶する。
【００５０】
（封緘書類作成時のトレイ設定記憶手段Ｃ４）
封緘書類作成時のトレイ設定記憶手段Ｃ４は、封緘書類作成時のトレイ設定画面表示手段Ｃ４ａ、文書シート給紙トレイ記憶手段Ｃ４ｂおよび封緘用シート給紙トレイ記憶手段Ｃ４ｃを有している。
（封緘書類作成時のトレイ設定画面表示手段Ｃ４ａ）
封緘書類作成時のトレイ設定画面表示手段Ｃ４ａは、封緘書類作成指定キーＵＩ６が入力された時に封緘書類作成時のトレイ設定画面をユーザインタフェースＵＩに表示する。
（文書シート給紙トレイ記憶手段Ｃ４ｂ）
文書シート給紙トレイ記憶手段Ｃ４ｂは、前記封緘書類作成時のトレイ設定画面表示手段Ｃ４ａにより封緘書類作成時の給紙トレイ設定画像が表示された状態で、設定された文書シート給紙トレイ番号ＴＲｍを記憶する。
（封緘用シート給紙トレイ記憶手段Ｃ４ｃ）
封緘用シート給紙トレイ記憶手段Ｃ４ｃは、前記封緘書類作成時のトレイ設定画面表示手段Ｃ４ａにより封緘書類作成時の給紙トレイ設定画像が表示された状態で、設定された封緘用シート給紙トレイ番号ＴＲｎを記憶する。
【００５１】
（レジロール回転制御手段Ｃ５）
レジロール回転制御手段Ｃ５は、電磁クラッチ駆動回路Ｄｒの動作を制御してレジロールＲｒの回転を制御する。
（シート積層搬送手段Ｃ６）
シート積層搬送手段（シート積層搬送指示手段）Ｃ６は、所要時間差記憶手段Ｃ６ａ、給紙制御手段（昇降ソレノイド制御手段）Ｃ６ｂ、ＯＨＰシート給紙開始時刻設定用タイマＴＭ１および封緘用シート給紙開始時刻設定用タイマＴＭ２を有している。
（所要時間差記憶手段Ｃ６ａ）
所要時間差記憶手段Ｃ６ａは、下側給紙トレイが第２シート（挿入シートまたは文書シート）の給紙を開始してからレジロールＲｒに当接するまでの時間Ｔｍと、上側給紙トレイから第１シート（ＯＨＰシートまたは封緘用シート）の給紙を開始してからレジロールＲｒに当接するまでの時間Ｔｎとの時間差（Ｔｍ−Ｔｎ）を記憶する。
（給紙制御手段Ｃ６ｂ）
給紙制御手段（昇降ソレノイド制御手段）Ｃ６ｂは、ピックアップロール昇降ソレノイドＳＬ１〜ＳＬ４を介して各ピックアップロールＲｐ１〜Ｒｐ４を昇降制御し、各給紙トレイＴＲ１〜ＴＲ４からシートを取出す。
【００５２】
（ＯＨＰシート給紙開始時刻設定用タイマＴＭ１）
ＯＨＰシート給紙開始時刻設定用タイマＴＭ１は、前記所要時間差記憶手段Ｃ７の記憶値（Ｔｍ−Ｔｎ）に応じて、ＯＨＰシートの給紙を開始する時刻Ｔａを設定する。なお、挿入シートの給紙開始時刻をＴ０とした場合、Ｔａ＝Ｔ０＋（Ｔｍ−Ｔｎ）となる。
（封緘用シート給紙開始時刻設定用タイマＴＭ２）
封緘用シート給紙開始時刻設定用タイマＴＭ２は、前記所要時間差記憶手段Ｃ７の記憶値（Ｔｍ−Ｔｎ）に応じて、封緘用シートの給紙を開始する時刻Ｔｂを設定する。なお、封緘用シートの給紙開始時刻をＴ０とした場合、Ｔｂ＝Ｔ０＋（Ｔｍ−Ｔｎ）となる。
（使用シート判別フラグＦＬ１）
使用シート判別フラグＦＬ１は、初期値は「００」である。また、使用シートが通常シートの場合はＦＬ１＝「００」あり、ＯＨＰシートおよび挿入シートの場合はＦＬ１＝「０１」であり、封緘用シートおよび文書シートの場合はＦＬ１＝「１０」となる。
【００５３】
図４はユーザインタフェースの表示器の拡大図で、図４ＡはＯＨＰ印字指定時のトレイ設定画面が表示器に表示された図、図４Ｂは封緘書類作成時のトレイ設定画面が表示器に表示された図である。
ＯＨＰ印字指定キーＵＩ５が入力された場合、前記ＯＨＰ印字指定時のトレイ設定画面表示手段Ｃ３ａは、ＯＨＰ印字指定時のトレイ設定画面（図４Ａ参照）をユーザインタフェースＵＩに表示する。
前記ＯＨＰ印字指定時のトレイ設定画面には、次の画像が表示される。
（１）「ＯＨＰシート給紙トレイ」アイコン、
（２）「挿入シート給紙トレイ」アイコン、
（３）ＯＨＰシート給紙トレイ番号入力表示欄、
（４）挿入シート給紙トレイ番号入力表示欄、
（５）「ＯＫ」アイコン、
（６）各種のコメントが表示されるコメント表示欄。
図４Ａにおいて、前記「ＯＨＰシート給紙トレイ」アイコンが選択された場合（前記アイコンをユーザが指で押した場合）、前記ＯＨＰシート給紙トレイ番号入力表示欄にカーソルが表示される。その状態でテンキーＵＩ３が入力されると、前記ＯＨＰシート給紙トレイ番号入力表示欄のカーソル位置には、入力された数値（トレイ番号）が表示される。前記「挿入シート給紙トレイ」アイコンが選択された場合（前記アイコンをユーザが指で押した場合）、前記挿入シート給紙トレイ番号入力表示欄にカーソルが表示される。その状態でテンキーＵＩ３が入力されると、前記挿入シート給紙トレイ番号入力表示欄のカーソル位置には、入力された数値（トレイ番号）が表示される。
【００５４】
封緘書類作成指定キーＵＩ６が入力された場合、前記封緘書類作成時のトレイ設定画面表示手段Ｃ４ａは、封緘書類作成時のトレイ設定画面（図４Ｂ参照）をユーザインタフェースＵＩに表示する。
前記封緘書類作成時のトレイ設定画面には、次の画像が表示される。
（１）「封緘用シート給紙トレイ」アイコン、
（２）「文書シート給紙トレイ」アイコン、
（３）封緘用シート給紙トレイ番号入力表示欄、
（４）文書シート給紙トレイ番号入力表示欄、
（５）「ＯＫ」アイコン、
（６）各種のコメントが表示されるコメント表示欄。
図４Ｂにおいて、前記「封緘用シート給紙トレイ」アイコンが選択された場合（前記アイコンをユーザが指で押した場合）、前記封緘用シート給紙トレイ番号入力表示欄にカーソルが表示される。その状態でテンキーＵＩ３が入力されると、前記封緘用シート給紙トレイ番号入力表示欄のカーソル位置には、入力された数値（トレイ番号）が表示される。前記「文書シート給紙トレイ」アイコンが選択された場合（前記アイコンをユーザが指で押した場合）、前記文書シート給紙トレイ番号入力表示欄にカーソルが表示される。その状態でテンキーＵＩ３が入力されると、前記文書シート給紙トレイ番号入力表示欄のカーソル位置には、入力された数値（トレイ番号）が表示される。
【００５５】
（実施例１のフローチャートの説明）
図５は実施例１の給紙トレイ設定処理のフローチャートである。
図５のフローチャートの各ＳＴ（ステップ）の処理は、コントローラＣのＲＯＭに記憶されたプログラムに従って行われる。また、この処理は電源オン時に開始され、画像形成装置の他の各処理と平行してマルチタスクで実行される。
図５に示す給紙トレイ設定処理のフローは画像形成装置Ｕの電源オンにより開始される。
図５のＳＴ１において、ユーザインタフェースＵＩの表示器ＵＩ１に初期画面を表示する。
次にＳＴ２において、ＯＨＰ印字指定キーＵＩ５が入力されたか否か判断する。イエス（Ｙ）の場合はＳＴ３に移る。
ＳＴ３において、つぎの処理を実行する。
（１）使用シート判別フラグＦＬ１＝「０１」を実行する。前記使用シート判別フラグＦＬ１＝「０１」は、使用するシートがＯＨＰシートおよび挿入シートであること意味する。
（２）表示器ＵＩ１にＯＨＰ印字指定時のトレイ設定画面（図４Ａ参照）を表示する。
次にＳＴ４において、表示器ＵＩ１の「ＯＨＰシート給紙トレイ」アイコン（図４Ａ参照）が入力されたか否か判断する。ノー（Ｎ）の場合はＳＴ８に移り、イエス（Ｙ）の場合はＳＴ５に移る。
【００５６】
ＳＴ５において、コメント表示欄の情報を消去する。
次にＳＴ６において、ＯＨＰシートの給紙トレイ番号ＴＲｎがテンキーＵＩ３から入力されたか否か判断する。ノー（Ｎ）の場合はＳＴ６を繰り返し実行する。イエス（Ｙ）の場合はＳＴ７に移る。
ＳＴ７において、テンキーＵＩ３により入力された給紙トレイＴＲｎを一時記憶して、前記ＳＴ４に戻る
前記ＳＴ４でノー（Ｎ）の場合に移るＳＴ８において、表示器ＵＩ１の「挿入シート給紙トレイ」アイコン（図４Ａ参照）が入力されたか否か判断する。ノー（Ｎ）の場合はＳＴ１２に移り、イエス（Ｙ）の場合はＳＴ９に移る。
ＳＴ９において、コメント表示欄の情報を消去する。
次にＳＴ１０において、ＯＨＰシートの間に挿入する挿入シートを給紙するトレイ番号（挿入シート給紙トレイ番号）ＴＲｍがテンキーＵＩ３から入力されたか否か判断する。ノー（Ｎ）の場合はＳＴ１０を繰り返し実行する。イエス（Ｙ）の場合はＳＴ１１に移る。
ＳＴ１１において、テンキーＵＩ３により入力された給紙トレイ番号ＴＲｍを一時記憶して、前記ＳＴ４に戻る。
前記ＳＴ８でノー（Ｎ）の場合に移るＳＴ１２において、表示器ＵＩ１の「ＯＫ」アイコン（図４Ａ参照）が入力されたか否か判断する。ノー（Ｎ）の場合は前記ＳＴ４に移り、イエス（Ｙ）の場合はＳＴ１３に移る。
ＳＴ１３において、コメント表示欄の情報を消去する。
次にＳＴ１４において、一時記憶された給紙トレイ番号がｎ＜ｍ≦４であるか否か判断する。ノー（Ｎ）の場合はＳＴ１５に移り、イエス（Ｙ）の場合はＳＴ１６に移る。
【００５７】
ＳＴ１５において、次の処理を実行する。
（１）トレイ選択画面のコメント表示欄に再設定要求情報「再設定して下さい」を表示する。
（２）一時記憶した給紙トレイ番号ＴＲｎ，ＴＲｍの設定値を解除する。
次に、前記ＳＴ４に戻る。
ＳＴ１６において、一時記憶された給紙トレイ番号ＴＲｎ，ＴＲｍを設定値として記憶し、前記ＳＴ１に戻る。
前記ＳＴ２でノー（Ｎ）の場合に移るＳＴ１７において、封緘書類作成キーＵＩ６が入力されたか否か判断する。ノー（Ｎ）の場合はＳＴ１９に移り、イエス（Ｙ）の場合はＳＴ１８に移る。
ＳＴ１８において、封緘書類作成時の給紙トレイ設定処理（後述する図５のサブルーチン参照）を実行する。そして、前記ＳＴ１に戻る。
ＳＴ１９において、ユーザインタフェースＵＩで給紙トレイが選択されたか否か判断する。ノー（Ｎ）の場合は前記ＳＴ２戻り、イエス（Ｙ）の場合はＳＴ２０に移る。
ＳＴ２０において、設定された給紙トレイ番号ＴＲｎを記憶し、前記ＳＴ１に戻る。
【００５８】
図６は前記図４のＳＴ５のサブルーチンで封緘書類作成時のトレイ設定処理のサブルーチンである。
図６のＳＴ２１において、次に処理を実行する。
（１）使用シート判別フラグＦＬ１＝「１０」を実行する。使用シート判別フラグＦＬ１＝「１０」は、使用シートが封緘用シートおよび文書シートであることを意味する。
（２）表示器ＵＩ１に封緘書類作成時のトレイ設定画面（図４Ｂ参照）を表示する。
次にＳＴ２２において、表示器ＵＩ１の「文書シート給紙トレイ」アイコンが入力されたか否か判断する。ノー（Ｎ）の場合はＳＴ２６に移り、イエス（Ｙ）の場合はＳＴ２３に移る。
【００５９】
ＳＴ２３において、次の処理を実行する。
（１） 表示器ＵＩ１のコメント表示欄に表示されている情報を消去する。
（２）表示器ＵＩ１のコメント表示欄に給紙トレイＴＲｍに収容するシート配置情報「給紙トレイＴＲｍに被覆面が上になるように文書シートを配置して下さい」を表示する。
次にＳＴ２４において、文書シートの給紙トレイ番号ＴＲｍがテンキーＵＩ３から入力されたか否か判断する。ノー（Ｎ）の場合はＳＴ２４を繰り返し実行し、イエス（Ｙ）の場合はＳＴ２５に移る。
ＳＴ２５において、テンキーＵＩ３から入力された給紙トレイＴＲｍを一時記憶して、前記ＳＴ２２に戻る。
前記ＳＴ２２でノー（Ｎ）の場合に移るＳＴ２６において、表示器ＵＩ１の「封緘用シート」アイコン（図４Ｂ参照）が入力されたか否か判断する。ノー（Ｎ）の場合はＳＴ３０に移り、イエス（Ｙ）の場合はＳＴ２７に移る。
ＳＴ２７において、次の処理を実行する。
（１） 表示器ＵＩ１のコメント表示欄に表示されている情報を消去する。
（２）表示器ＵＩ１のコメント表示欄に給紙トレイＴＲｎに収容するシート配置情報「給紙トレイＴＲｎに接合面が下になるように封緘用シートを配置して下さい」を表示する。
次にＳＴ２８において、封緘用シートの給紙トレイＴＲｎがテンキーＵＩ３から入力されたか否か判断する。ノー（Ｎ）の場合はＳＴ２８を繰り返し実行し、イエス（Ｙ）の場合はＳＴ２９に移る。
【００６０】
ＳＴ２９において、テンキーＵＩ３から入力された給紙トレイＴＲｎを一時記憶して、前記ＳＴ２２に戻る。
前記ＳＴ２６でノー（Ｎ）の場合に移るＳＴ３０において、表示器ＵＩ１の「ＯＫ」アイコン（図４Ｂ参照）が入力されたか否か判断する。ノー（Ｎ）の場合は前記ＳＴ２２に戻り、イエス（Ｙ）の場合はＳＴ３１に移る。
ＳＴ３１において、トレイ設定画面のコメント表示欄に表示されている情報を消去する。
次にＳＴ３２において、一時記憶された給紙トレイ番号がｎ＜ｍ≦４であるか否か判断する。ノー（Ｎ）の場合はＳＴ３３に移り、イエス（Ｙ）の場合はＳＴ３４に移る。
ＳＴ３３において、次の処理を実行する。
（１）トレイ選択画面のコメント表示欄に再設定要求情報「再設定して下さい」を表示する。
（２）一時記憶した給紙トレイ番号ＴＲｎ，ＴＲｍの設定値を解除する。
次に、前記ＳＴ２２に戻る。
ＳＴ３４において、一時記憶された給紙トレイ番号ＴＲｎ，ＴＲｍを設定値として記憶し、前記図５のＳＴ１に戻る。
【００６１】
図７は、ジョブ時のシート搬送処理のメインルーチンである。
図７のＳＴ４１において、ジョブ開始か否か判断する。ノー（Ｎ）の場合は前記ＳＴ４１を繰り返し実行し、イエス（Ｙ）の場合はＳＴ４２に移る。
ＳＴ４２において、シート搬送部材を回転開始する。
次にＳＴ４３において、使用シート判別フラグＦＬ１＝「０１」であるか否か判断する。すなわち、使用シート判別フラグＦＬ１＝「０１」の場合、ジョブで使用されるシートがＯＨＰシートおよび挿入シートであり、前記ＯＨＰシートはジョブ時に印字されるシートである。ノー（Ｎ）の場合はＳＴ４６を移り、イエス（Ｙ）の場合はＳＴ４４に移る。
ＳＴ４４において、ＯＨＰ印字時のシート搬送処理を実行する。
ＳＴ４５において、次の処理を実行する。
（１）使用シート判別フラグＦＬ１＝「００」を実行する。すなわち、前記使用シート判別フラグＦＬ１＝「００」は、初期値である。
（２）シート搬送部材の回転を停止する。
次に、前記ＳＴ４１に戻る。
【００６２】
前記ＳＴ４３でノー（Ｎ）の場合に移るＳＴ４６において、使用シート判別フラグＦＬ１＝「１０」であるか否か判断する。すなわち、使用シート判別フラグＦＬ１＝「１０」は、使用シートが文書シートおよび封緘用シートである。ノー（Ｎ）の場合はＳＴ４８を移り、イエス（Ｙ）の場合はＳＴ４７に移る。
ＳＴ４７において、封緘書類作成時のシート搬送処理を実行する。次に、前記ＳＴ４５に移る。
前記ＳＴ４６でノー（Ｎ）の場合に移るＳＴ４８において、普通シート用印字時のシート搬送処理を実行する。次に、前記ＳＴ４５に移る。
【００６３】
図８は、前記図７のＳＴ４４のＯＨＰ印字時のシート搬送処理のサブルーチンである。
図８のＳＴ５１において、給紙パルスが出力されたか否か判断する。ノー（Ｎ）の場合はＳＴ５１を繰り返し実行し、イエス（Ｙ）の場合はＳＴ５２に移る。
ＳＴ５２において、次の処理を実行する。
（１）給紙トレイＴＲｍから挿入シートの給紙を開始する。
（２）ＯＨＰシート給紙開始時刻設定タイマＴＭ１の計時を開始する。
次に、ＳＴ５３において、ＴＭ１ａ≧Ｔｍ−Ｔｎか否かを判断する。ノー（Ｎ）の場合はＳＴ５３を繰り返し実行し、イエス（Ｙ）の場合はＳＴ５４に移る。
ＳＴ５４において、給紙トレイＴＲｎからＯＨＰシートの給紙を開始する。なお、前記ＳＴ５２の挿入シートの給紙開始時刻をＴ０とし、ＳＴ５４のＯＨＰシートの給紙開始時刻をＴａとした場合、Ｔａ＝Ｔ０＋（Ｔｍ−Ｔｎ）となる。
次にＳＴ５５において、レジセンサＳＮ１がシート前端を検知したか否かを判断する。ノー（Ｎ）の場合はＳＴ６１に移り、イエス（Ｙ）の場合はＳＴ５６に移る。
【００６４】
ＳＴ５６において、レジロールＲｒの回転を停止する。
次にＳＴ５７において、ＴＭ１ａ≧Ｔｍか否かを判断する。ノー（Ｎ）の場合はＳＴ５７を繰り返し実行し、イエス（Ｙ）の場合はＳＴ５８に移る。
ＳＴ５８において、次の処理を実行する。
（１）レジロールＲｒを回転させて、ＯＨＰシートおよび挿入シートを転写領域に搬送する。
（２）ＯＨＰシート給紙開始時刻設定タイマＴＭ１を作動停止する。
次にＳＴ５９において、ジョブ終了か否かを判断する。ノー（Ｎ）の場合は前記ＳＴ５１に戻り、イエス（Ｙ）の場合はＳＴ６０に移る。
ＳＴ６０において、給紙トレイＴＲｎ，ＴＲｍの設定値を解除する。そして、前記図７のＳＴ４５に移る。
前記ＳＴ５５でノー（Ｎ）の場合に移るＳＴ６１において、ＴＭ１ａ≧Ｔｍか否かを判断する。ノー（Ｎ）の場合は前記ＳＴ５５に戻り、イエス（Ｙ）の場合はＳＴ６２に移る。
ＳＴ６２において、次の処理を実行する。
（１） ユーザインタフェースＵＩに「紙詰まりです」を表示する。
（２）ＯＨＰシート給紙開始時刻設定タイマＴＭ１を作動停止する。
そして、前記ＳＴ６０に移る。
【００６５】
図９は、前記図７のＳＴ４７の封緘書類作成時のシート搬送処理のサブルーチンである。
図９のＳＴ７１において、給紙パルスが出力されたか否か判断する。ノー（Ｎ）の場合はＳＴ７１を繰り返し実行し、イエス（Ｙ）の場合はＳＴ７２に移る。
ＳＴ７２において、次の処理を実行する。
（１）給紙トレイＴＲｍから文書シートの給紙を開始する。
（２）封緘用シート給紙開始時刻設定タイマＴＭ２の計時を開始する。
次に、ＳＴ７３において、ＴＭ２ａ≧Ｔｍ−Ｔｎか否かを判断する。ノー（Ｎ）の場合はＳＴ７３を繰り返し実行し、イエス（Ｙ）の場合はＳＴ７４に移る。
ＳＴ７４において、給紙トレイＴＲｎから封緘用シートの給紙を開始する。なお、前記ＳＴ７２の文書シートの給紙開始時刻をＴ０とし、ＳＴ７４のＯＨＰシートの給紙開始時刻をＴｂとした場合、Ｔｂ＝Ｔ０＋（Ｔｍ−Ｔｎ）となる。
次にＳＴ７５において、レジセンサＳＮ１がシート前端を検知したか否かを判断する。ノー（Ｎ）の場合はＳＴ８１に移り、イエス（Ｙ）の場合はＳＴ７６に移る。
【００６６】
ＳＴ７６において、レジロールＲｒの回転を停止する。
次にＳＴ７７において、ＴＭ２ａ≧Ｔｍか否かを判断する。ノー（Ｎ）の場合はＳＴ７７を繰り返し実行し、イエス（Ｙ）の場合はＳＴ７８に移る。
ＳＴ７８において、次の処理を実行する。
（１）レジロールＲｒを回転させて、文書シートおよび封緘用シートを転写領域に搬送する。
（２）封緘用シート給紙開始時刻設定タイマＴＭ１を作動停止する。
次にＳＴ７９において、ジョブ終了か否かを判断する。ノー（Ｎ）の場合は前記ＳＴ７１に戻り、イエス（Ｙ）の場合はＳＴ８０に移る。
ＳＴ８０において、給紙トレイＴＲｎ，ＴＲｍの設定値を解除する。そして、前記図７のＳＴ４５に移る。
前記ＳＴ７５でノー（Ｎ）の場合に移るＳＴ８１において、ＴＭ２ａ≧Ｔｍか否かを判断する。ノー（Ｎ）の場合は前記ＳＴ７５に戻り、イエス（Ｙ）の場合はＳＴ８２に移る。
ＳＴ８２において、次の処理を実行する。
（１） ユーザインタフェースＵＩに「紙詰まりです」を表示する。
（２）封緘用シート給紙開始時刻設定タイマＴＭ２を作動停止する。
そして、前記ＳＴ８０に移る。
【００６７】
（実施例１の作用）
図１０は、実施例１のＯＨＰ印字指定時および封緘書類作成指定時のタイムチャートである。
図１０において、ＯＨＰ印字指定時に画像形成装置ＵのメインモータＭ１は、ジョブが開始されてから所定時間経過した時にオンになる。
ピックアップロール昇降ソレノイドＳＬ２は、前記メインモータＭ１がオンになってから一定時間経過後にオンになる。前記ピックアップロール昇降ソレノイドＳＬ２がオンになると、ピックアップロールＲｐ２が下降して第２給紙トレイ（下側給紙トレイ）ＴＲ２から挿入シートが給紙開始される。前記挿入シートの給紙開始時刻をＴ０とする。
ピックアップロール昇降ソレノイドＳＬ１は、前記時刻Ｔ０からＴｍ−Ｔｎが経過した時にオンになる。前記ピックアップロール昇降ソレノイドＳＬ１がオンになると、ピックアップロールＲｐ１が下降して第１給紙トレイ（上側給紙トレイ）ＴＲ１からＯＨＰシートが給紙開始される。前記Ｔｍは下側給紙トレイＴＲ２からレジロールＲｒまでのシート搬送時間であり、前記Ｔｎは上側給紙トレイＴＲ１からレジロールＲｒまでのシート搬送時間である。
【００６８】
前記ピックアップロール昇降ソレノイドＳＬ２は、挿入シートの前端部がさばきロールＲｓ２を通過した後オフにされる。前記ピックアップロール昇降ソレノイドＳＬ２がオフになると、ピックアップロールＲｐ２が上昇する。
前記ピックアップロール昇降ソレノイドＳＬ１は、ＯＨＰシートの前端部がさばきロールＲｓ１を通過した後オフにされる。前記ピックアップロール昇降ソレノイドＳＬ１がオフになると、ピックアップロールＲｐ１が上昇する。
前記レジセンサＳＮ１は、ピックアップロールＲｐ２，Ｒｐ１により取出されて積層状態になったＯＨＰシートおよび挿入シートの前端を検出する。前記レジセンサＳＮ１が積層状態のシート前端を検出した時刻をＴｒとすると、前記時刻Ｔｒから少し経過した時刻Ｔｃには、前記積層状態のＯＨＰシートおよび挿入シートの前端がレジロールに到達する。
【００６９】
レジロール用電磁クラッチＣＬｒは、前記時刻Ｔ０からＴｍ＋αが経過した時刻ＴｄにオンになってレジロールＲｒが回転し、前記積層状態のＯＨＰシートおよび挿入シートが転写領域Ｑ３に搬送される。前記時間αは、積層状態のＯＨＰシートおよび挿入シート前端がレジロールＲｒに到達してからレジロールが回転開始するまでの時間である。
排出センサＳＮｅは、排出トレイＴＲｈに搬送される積層状態のシート前端を検出する。
【００７０】
前記レジセンサＳＮ１は、前記時刻ＴｒからレジセンサＳＮ１を通過するシート１枚分のシート搬送時間が経過した場合、積層状態のシート後端を検出する。
前記レジロール用電磁クラッチＣＬｒは、前記レジセンサＳＮ１が積層状態のシート後端を検出してから一定時間経過すると、オフにされてレジロールＲｒの回転が停止される。
前記排出センサＳＮｅは、前記排出センサＳＮｅが前記積層状態のシート前端を検出してから、前記排出センサＳＮｅを通過するシート１枚分のシート搬送時間が経過した場合、前記積層状態のシート後端を検出する。このとき、ジョブが終了した場合には、排出センサＳＮｅが積層状態のシート後端を検出してから一定時間後にメインモータＭ１がオフになる。
【００７１】
図１０において、封緘書類作成指定時に、第１給紙トレイ（上側給紙トレイ）ＴＲ１に封緘用シートを収容し、第２給紙トレイ（下側給紙トレイ）ＴＲ２に文書シートを収容してジョブを開始したときのタイムチャート（封緘書類作成指定時のタイムチャート）は、前記図１０に示すＯＨＰ印字指定時のタイムチャートと同様になる。
【００７２】
このように、汎用の画像形成装置を使用して、封緘用シート（第１シート）および文書シート（第２シート）を積層状態で転写領域Ｑ３を通過させることにより、画像記録装置に特殊な機能（封緘書類作成機能）を実現させることができる。また、ＯＨＰシート（第１シート）および挿入シート（第２シート）を積層状態で同時に搬送することにより、画像形成装置の生産効率を向上させることが可能となる。
【００７３】
（実施例２）
図１１は本発明の実施例２のシート搬送装置を備えた画像形成装置（デジタル複写機）によりＯＨＰシートに印字する際のシート搬送方法の説明図で、図１１Ａは上側給紙トレイ（第１給紙トレイ）から搬送された第１シートがレジロールに当接して停止している状態を示す図、図１１Ｂは前記第１シートがレジロールに当接して停止している状態で下側給紙トレイ（第２給紙トレイ）から給紙される第２シートが搬送されている状態を示す図、図１１Ｃは上側給紙トレイから給紙された第１シート前端部と下側給紙トレイから給紙された第２シート前端部とが重なってレジロールに搬送された状態を示す図である。
次に、本発明の実施例２を説明するが、この実施例２の説明において、前記実施例１の構成要素に対応する構成要素には同一の符号を付して、その詳細な説明を省略する。この実施例２は、下記の点で前記実施例１と相違しているが、他の点では前記実施例１と同様に構成されている。
【００７４】
実施例２のシート搬送装置を備えた画像形成装置（デジタル複写機）は、レジセンサＳＮ１のシート搬送方向下流側で且つ、レジセンサＲｒの上流側にＯＨＰセンサＳＮ２が配置されている。
本実施例２では、ＯＨＰシートに印字する場合、前記上側給紙トレイＴＲ１にＯＨＰシート（第１シート）を収容し、前記下側給紙トレイＴＲ２に挿入シート（第２シート）を収容する。
図１１Ａにおいて、ジョブが開始されると、上側給紙トレイ（第１給紙トレイ）ＴＲ１からピックアップロールＲｐ１によりＯＨＰシート（第１シート）の搬送が開始され、前記ＯＨＰシートは、停止しているレジロールＲｒに前端が当接した状態で停止する。
図１１Ｂにおいて、前記ＯＨＰシートがレジロールＲｒに当接した状態で、下側給紙トレイ（第２給紙トレイ）ＴＲ２から挿入シート（第２シート）が給紙される。
図１１Ｃにおいて、下側給紙トレイＴＲ２から給紙された挿入シート前端部は、前記上側給紙トレイＴＲ１から給紙されたＯＨＰシート前端部と重なってレジロールに当接した状態で停止する。
【００７５】
（実施例２の制御部の説明）
図１２は画像形成装置用のシート搬送装置および画像形成装置の実施例２の制御部の機能ブロック線図であり、前記実施例１の図３に対応する図である。
実施例２の図１２のブロック線図は、前記実施例１の図３のブロック線図にＯＨＰセンサＳＮ２およびエラー告知手段Ｃ７が追加されているが、その他の点では前記図３と同様である。
（コントローラＣに接続された信号出力要素）
前記コントローラＣは、ＵＩ（ユーザインタフェース）、レジセンサＳＮ1、ＯＨＰセンサＳＮ２、排出センサＳＮｅ、その他の信号出力要素からの出力信号が入力されている。
ＯＨＰセンサＳＮ２：
ＯＨＰセンサＳＮ２は、レジセンサＳＮ１のシート搬送方向下流側で且つ、レジセンサＲｒの上流側に配置されている。前記ＯＨＰセンサＳＮ２は、発光素子および受光素子から形成されたセンサであり、前記ＯＨＰセンサＳＮ２を通過するシートが透光性のＯＨＰシートである場合にはシート通過を検出できなが、遮光性シートの通過は検出することができる。ＯＨＰシートが搬送される時刻に前記ＯＨＰセンサＳＮ２がシートを検出した場合、表示器ＵＩ３にエラーメッセージを表示する。
実施例２のコントロールＣは、前記実施例１の各手段Ｃ１〜Ｃ６、ＦＬ１と、エラー告知手段Ｃ７を有している。
エラー告知手段Ｃ７：
エラー告知手段Ｃ７は、前記ＯＨＰセンサＳＮ２が第１シートを検出した場合、すなわち、第１シートが透光性でない場合（ＯＨＰシート以外）には、ユーザにエラー発生を告知する。
【００７６】
実施例２のジョブで使用する給紙トレイの設定処理およびジョブ時のシート搬送処理のメインルーチンは前記実施例１の図５〜図７の給紙トレイの設定処理およびジョブ時のシート搬送処理のメインルーチンと同じである。
図１３は実施例２のＯＨＰ印字時のシート搬送処理であり、前記実施例１の図８に対応する図である。
図１３のＳＴ９１において、給紙パルスが出力されたか否か判断する。ノー（Ｎ）の場合はＳＴ９１を繰り返し実行し、イエス（Ｙ）の場合はＳＴ９２に移る。
ＳＴ９２において、次の処理を実行する。
（１）上側給紙トレイ（第１給紙トレイ）ＴＲ１からＯＨＰシートの給紙を開始する。
（２）タイマＴＭ３の計時を開始する。
次にＳＴ９３において、レジセンサＳＮ１がＯＨＰシートを検出したか否かを判断する。ノー（Ｎ）の場合はＳＴ１０６に移り、イエス（Ｙ）の場合はＳＴ９４に移る。
【００７７】
ＳＴ９４において、レジロールＲｒの回転を停止する。
次にＳＴ９５において、ＴＭ３ａ≧Ｔｎか否かを判断する。ノー（Ｎ）の場合はＳＴ１０４に移り、イエス（Ｙ）の場合はＳＴ９６に移る。
ＳＴ９６において、次の処理を実行する。
（１）タイマＴＭ３を作動停止する。
（２）下側給紙トレイ（第２給紙トレイ）ＴＲ２から挿入シートの給紙を開始する。
（３）タイマＴＭ４の計時を開始する。
次にＳＴ９７において、ＯＨＰセンサＳＮ２がシートを検出したか否かを判断する。ノー（Ｎ）の場合はＳＴ１０２に移り、イエス（Ｙ）の場合はＳＴ９８に移る。
ＳＴ９８において、ＴＭ４ａ≧Ｔｍか否かを判断する。ノー（Ｎ）の場合はＳＴ９８を繰り返し実行し、イエス（Ｙ）の場合はＳＴ９９に移る。
【００７８】
ＳＴ９９において、次の処理を実行する。
（１）レジロールＲｒを回転させて積層状態のＯＨＰシートおよび挿入シートを転写領域Ｑ３に搬送する。
（２）タイマＴＭ４を作動停止する。
次にＳＴ１００において、ジョブ終了か否かを判断する。ノー（Ｎ）の場合は前記ＳＴ９１に戻り、イエス（Ｙ）の場合はＳＴ１０１に移る。
ＳＴ１０１において、給紙トレイＴＲｎ，ＴＲｍの設定値を解除する。そして、前記図７のＳＴ４５に移る。
前記ＳＴ９７でノー（Ｎ）の場合に移るＳＴ１０２において、ＴＭ４ａ≧Ｔｍか否かを判断する。ノー（Ｎ）の場合はＳＴ前記９７に戻り、イエス（Ｙ）の場合はＳＴ１０３に移る。
【００７９】
ＳＴ１０３において、次の処理を実行する。
（１）ユーザインタフェースＵＩに「紙詰まりです」を表示する。
（２）タイマＴＭ４を作動停止する。
次に前記ＳＴ１０１に移る。
前記ＳＴ９５でノー（Ｎ）の場合に移るＳＴ１０４において、ＯＨＰセンサＳＮ２がシートを検出したか否かを判断する。ノー（Ｎ）の場合はＳＴ前記９５に戻り、イエス（Ｙ）の場合はＳＴ１０５に移る。
ＳＴ１０５において、次の処理を実行する。
（１）ユーザインタフェースＵＩに「給紙トレイＴＲｎにＯＨＰシート以外のシートが収容されています。再設定を行って下さい」を表示する。
（２）前記ＳＴ１０４で検出したＯＨＰシート以外のシートを排出する。
（３）タイマＴＭ３を作動停止する。
次に前記ＳＴ１０１に移る。
【００８０】
前記ＳＴ９３においてノー（Ｎ）の場合に移るＳＴ１０６において、ＴＭ３ａ≧Ｔｎか否かを判断する。ノー（Ｎ）の場合は前記ＳＴ９３に戻り、イエス（Ｙ）の場合はＳＴ１０７に移る。
ＳＴ１０７において、次の処理を実行する。
（１）ユーザインタフェースＵＩに「紙詰まりです」を表示する。
（２）タイマＴＭ３を作動停止する。
次に前記ＳＴ１０１に移る。
【００８１】
実施例２の封緘書類作成時のシート搬送処理のフローチャートは前記実施例１の図９に示す封緘書類作成時のシート搬送処理のフローチャートと同じである。
【００８２】
（実施例２の作用）
図１４は、実施例２のＯＨＰ印字指定時のタイムチャートである。
図１４において、ＯＨＰ印字指定時に画像形成装置ＵのメインモータＭ１は、ジョブが開始されてから所定時間経過した時にオンになる。
ピックアップロール昇降ソレノイドＳＬ１は、前記メインモータＭ１がオンになってから一定時間が経過するとオンになる。前記ピックアップロール昇降ソレノイドＳＬ１がオンのときは、ピックアップロールＲｐ１が第１給紙トレイＴＲ１のＯＨＰシート上面に当接する位置に下降して前記ＯＨＰシートを給紙する。また、このときの時刻をＴ０´とする。
前記ピックアップロール昇降ソレノイドＳＬ１は、前記時刻Ｔ０´からＯＨＰシート前端部がさばきロールＲｓ１を通過するまでの時間が経過したときオフになる。前記ピックアップロール昇降ソレノイドＳＬ１がオフのときは、前記ピックアップロールＲｐ１は上昇して、第１給紙トレイＴＲ１のＯＨＰシートより上方に保持される。
【００８３】
レジセンサＳＮ１は、前記ピックアップロール昇降ソレノイドＳＬ１がオフになってから一定時間ａ１が経過したとき、ＯＨＰシート前端を検出する。
前記ＯＨＰシートは、前記レジセンサＳＮ１に検出されてから一定時間ａ２が経過すると、停止したレジロールＲｒに到達する。このとき、ピックアップ昇降ソレノイドＳＬ２がオンになり、ピックアップロールＲｐ２が第２給紙トレイＴＲ２の挿入シート上面に当接する位置に下降して前記挿入シートの給紙を開始する。前記ピックアップ昇降ソレノイドＳＬ２がオンになる時刻をＴ０とする。なお、前記ＯＨＰシートがレジロールＲｒに到達する時刻と、前記ピックアップ昇降ソレノイドＳＬ２がオンになる時刻を同時刻にする必要はなく、ずらすことも可能である。
前記ピックアップ昇降ソレノイドＳＬ２は、時刻Ｔ０から挿入シート前端部がさばきロールＲｓ２を通過するまでの時間が経過したときオフになる。
【００８４】
ＯＨＰセンサＳＮ２は、前記ピックアップ昇降ソレノイドＳＬ２がオフになってから一定時間ｂ１が経過したとき、挿入シート前端を検出する。
前記挿入シートは、前記ＯＨＰセンサＳＮ２に前端を検出されてから一定時間ｂ２が経過すると、停止したレジロールＲｒに到達する。
レジロール用電磁クラッチＣＬｒは、前記挿入シートがレジロールＲｒに到達してから一定時間ｂ３が経過するとオンになる。前記レジロール用電磁クラッチＣＬｒがオンのときは、レジロールＲｒが回転し、前記ＯＨＰシートおよび挿入シートが積層状態で転写領域Ｑ３に搬送される。
排出センサＳＮｅは、排出トレイＴＲｈに搬送される積層状態のＯＨＰシートおよび挿入シート前端を検出する。
【００８５】
前記レジセンサＳＮ１は、前記排出センサＳＮｅが積層状態のシート前端を検出した後、前記積層状態のシート後端を検出する。
前記ＯＨＰセンサＳＮ２は、前記レジセンサＳＮ１が積層状態のシート後端を検出した後、前記積層状態の挿入シートの後端を検出する。
前記レジロール用電磁クラッチＣＬｒは、前記ＯＨＰセンサＳＮ２が積層状態の挿入シート後端を検出してから一定時間経過するとオフになる。前記レジロール用電磁クラッチＣＬｒがオフのときは、レジロールＲｒは回転を停止する。
前記排出センサＳＮｅは、前記排出センサＳＮｅが前記積層状態のシート前端を検出してから、前記排出センサＳＮｅを通過するシート１枚分のシート搬送時間が経過した場合、前記積層状態のシート後端を検出する。このとき、ジョブが終了した場合には、排出センサＳＮｅが積層状態のシート後端を検出してから一定時間後にメインモータＭ１がオフになる。
【００８６】
実施例２の作用は、前記実施例１の作用と同様に、ＯＨＰシート（第１シート）および挿入シート（第２シート）を積層状態で同時に搬送することにより、画像形成装置の生産効率を向上させることが可能となる。また、前記ＯＨＰセンサＳＮ２が検出した第１シートが透光性でない場合（ＯＨＰシート以外）には、エラー発生告知手段Ｃ７により、ユーザにエラー発生を告知することができる。
【００８７】
（実施例３）
図１５は実施例３のシート搬送装置を備えた画像形成装置（デジタル複写機）の縦断面図である。
次に、本発明の実施例３を説明するが、この実施例３の説明において、前記実施例１の構成要素に対応する構成要素には同一の符号を付して、その詳細な説明を省略する。この実施例３は、下記の点で前記実施例１と相違しているが、他の点では前記実施例１と同様に構成されている。
この実施例３の画像形成装置Ｕは、前記ＯＨＰシートの印字時および文書シートを使用する封緘書類作成時には、前記実施例１と同様にシート搬送処理を行う。
【００８８】
実施例３の画像形成装置Ｕには、オプションのシート反転装置Ｕ３が装着されている。前記シート反転装置Ｕ３の内部には、オプションシート反転路が形成されている。前記オプションシート反転路には、前記反転路を通過するシートを検出するシートセンサ（再々送シートセンサ）ＳＮ３が設けられている。
また、両面印刷時には、前記定着領域Ｑ４でトナー像が定着されたシートが、前記オプションシート反転路を通過して、シートの表裏が反転した状態で前記レジロールＲｒおよび前記転写領域Ｑ３に再送される。
この実施例３の画像形成装置Ｕは、シート反転装置Ｕ３が装着されているので文書シートの作成と、その文書シートを使用した封緘書類の作成とを連続して行うことができる。
この実施例３の説明では、文書シートを作成して、その作成した文書シートを使用して封緘書類を作成する際のシート搬送処理についてのみ説明する。
【００８９】
図１６は実施例３のシート搬送装置を備えた画像形成装置（デジタル複写機）により封緘書類を作成する際のシート搬送方法の説明図で、図１６Ａは第１給紙トレイからシート（第１シート）が搬送されている状態を示す図、図１６Ｂはシートに被覆文書が印字されてから反転して反転シートとなってシート反転装置に搬送されている状態を示す図、図１６Ｃは反転シートがシート反転装置のオプションシート反転路からレジロールを通過して転写領域に再送されている状態を示す図である。
【００９０】
実施例３において、文書シートを作成してから封緘書類を作成する場合、第１給紙トレイＴＲ１に印字して文書シートを作成するための未印字シート（第１シート）を収容し、第２給紙トレイＴＲ２に封緘用シート（第２シート）を収容する。
図１６Ａにおいて、ジョブが開始されると、第１給紙トレイＴＲ１からピックアップロールＲｐ１によりシートの搬送が開始される。前記シートには、転写領域Ｑ３を通過する際に被覆文書（封緘用シートにより被覆される文書）が印字される。
図１６Ｂにおいて、転写領域Ｑ３を通過した被覆文書印字済みのシートは、定着領域Ｑ４を通過した後、排出ロールＲ１で反転して反転シートとなって前記シート反転装置Ｕ３に搬送される。
図１６Ｃにおいて、前記反転シートは、前記シート反転装置Ｕ３に配置されたシートセンサＳＮ３に検出された後、前記転写領域Ｑ３に再搬送される。
【００９１】
図１７は実施例３のシート搬送装置を備えた画像形成装置（デジタル複写機）により封緘書類を作成する際のシート搬送方法の説明図で、図１７Ａは反転シート（第１シート）が定着領域Ｑ４を再度通過した後、排出ロールＲ１で再反転して再反転シート（作成済み文書シート）となってシート反転装置に再搬送されている状態を示す図、図１７Ｂは再反転シート前端部と第２給紙トレイから給紙された封緘用シート（第２シート）前端部とが積層状態でレジロールに到達した状態を示す図、図１７Ｃは再反転シートの被覆文書が封緘用シートにより被覆された状態（封緘書類）で排出トレイに排出されている状態を示す図である。
【００９２】
図１７Ａにおいて、前記反転シート（第１シート）が定着領域Ｑ４を再度通過した後、排出ロールＲ１で再反転して再反転シート（作成済み文書シート）となってシート反転装置に再搬送されている。
図１７Ｂにおいて、前記再反転シートは、シート反転装置Ｕ３に配置されたシートセンサＳＮ３に検出された後、第２給紙トレイＴＲ２から給紙された封緘用シート前端部と前記再反転シート前端部とが積層状態でレジロールＲｒに到達する。
図１７Ｃにおいて、前記再反転シートおよび封緘用シートは、積層状態で定着領域Ｑ４を通過する際、前記再反転シートの被覆文書は封緘用シートにより被覆されて、封緘書類となって排出トレイＴＲｈに排出される。
【００９３】
（実施例３の制御部の説明）
図１８は画像形成装置用のシート搬送装置および画像形成装置の実施例３の制御部の機能ブロック線図であり、前記実施例１の図３に対応する図である。
実施例３の図１８のブロック線図は、前記実施例１の図３のブロック線図にシートセンサＳＮ３が追加されているが、その他の点では前記図３と同様である。
（コントローラＣに接続された信号出力要素）
前記コントローラＣは、ＵＩ（ユーザインタフェース）、レジセンサＳＮ1、シートセンサＳＮ３、排出センサＳＮｅ、その他の信号出力要素からの出力信号が入力されている。
シートセンサＳＮ３：
シートセンサ（再再送シートセンサ）ＳＮ３は、シート反転装置Ｕ３のオプションシート反転路に配置されている。前記シートセンサＳＮ３は、封緘用シートにより被覆される被覆文書が印字され且つ排出ロールＲ１により反転された反転シートおよび前記排出ロールＲ１により再反転された再反転シートの通過を検出する。
【００９４】
図１９は実施例３のジョブ時のシート搬送処理のメインルーチンであり、前記実施例１の図７に対応するフローチャートである。
実施例３の図１９の各ＳＴ（ステップ）の処理において実施例１の前記図７の各ＳＴと同一の処理を行うＳＴには同一のＳＴ番号（ステップ番号）を付して重複する詳細な説明は省略する。図１９のフローチャートは、下記の各ＳＴの処理が前記図７と相違しているが、他のＳＴの処理は図７と同一である。
【００９５】
前記図１９のＳＴ４６においてノー（Ｎ）の場合は、ＳＴ４６´に移る。
ＳＴ４６´において、使用シート判別フラグＦＬ１＝「１１」か否かを判断する。前記使用シート判別フラグＦＬ１＝「１１」は、未印字シートに印字して文書シートにしてから反転され、再反転される再反転シートおよび封緘用シートを使用するジョブであることを示す。ＳＴ４６′でノー（Ｎ）の場合はＳＴ４８に移り、イエス（Ｙ）の場合はＳＴ４７´に移る。
ＳＴ４７´において、再反転シート使用時の封緘書類作成時のシート搬送処理（後述する図２０参照）を実行する。
そして、ＳＴ４５に移る。
【００９６】
図２０は、前記図１９のＳＴ４７´のサブルーチンであり、印字されて文書シートになってから反転され、再反転された反転シートを使用しての封緘書類を作成する時のシート搬送処理である。
図２０のＳＴ１１１において、給紙パルスが出力されたか否か判断する。ノー（Ｎ）の場合はＳＴ１１１を繰り返し実行し、イエス（Ｙ）の場合はＳＴ１１２に移る。
ＳＴ１１２において、第１給紙トレイ（上側給紙トレイ）ＴＲｎからシートを給紙する。
次にＳＴ１１３において、シートセンサＳＮ３がシートを検出したか否かを判断する。このとき、前記シートは封緘用シートにより被覆される被覆文書が印字されてから排出ロールＲ１により反転されて反転シートとなって、前記シートセンサＳＮ３に検出される。ノー（Ｎ）の場合はＳＴ１１３を繰り返し実行し、イエス（Ｙ）の場合はＳＴ１１４に移る。
【００９７】
ＳＴ１１４において、シートセンサＳＮ３がシートを検出したか否かを判断する。このとき、前記反転シートは定着領域Ｑ４を通過してから排出ロールＲ１により再反転されて再反転シート（作成した文書シート）となって、前記シートセンサＳＮ３に検出される。ノー（Ｎ）の場合はＳＴ１１４を繰り返し実行し、イエス（Ｙ）の場合はＳＴ１１５に移る。
ＳＴ１１５において次の処理を実行する。
（１）レジロール回転制御用タイマＴＭ５の計時を開始する。
（２）レジロールＲｒ回転を停止する。
次にＳＴ１１６において、ＴＭ５ａ≧Ｔ５−Ｔｍか否かを判断する。ノー（Ｎ）の場合はＳＴ１１６を繰り返し実行し、イエス（Ｙ）の場合はＳＴ１１７に移る。
ＳＴ１１７において、第２給紙トレイ（下側給紙トレイ）ＴＲｍから封緘用シートを給紙する。
【００９８】
次にＳＴ１１８において、ＴＭ５ａ≧Ｔ５か否かを判断する。ノー（Ｎ）の場合はＳＴ１１８を繰り返し実行し、イエス（Ｙ）の場合はＳＴ１１９に移る。
ＳＴ１１９において次の処理を実行する。
（１）レジロールＲｒを回転させて再反転シートおよび封緘用シートを転写領域に積層状態で搬送する。
（２）レジロール回転制御用タイマＴＭ５を作動停止する。
次にＳＴ１２０において、ジョブ終了か否かを判断する。ノー（Ｎ）の場合は前記ＳＴ１１１に戻り、イエス（Ｙ）の場合はＳＴ１２１に移る。
ＳＴ１２１において、給紙トレイＴＲｎ，ＴＲｍの設定値を解除する。そして、前記図１９のＳＴ４５に移る。
【００９９】
このように、汎用の画像形成装置を使用して、再反転シート（作成した文書シート）および封緘用シートを積層状態で画像記録位置を通過させることにより、画像記録装置に特殊な機能（封緘書類作成機能）を実現させることができる。また、再反転シート（作成した文書シート）および封緘用シートを積層状態で同時に搬送することにより、画像形成装置の生産効率を向上させることが可能となる。
【産業上の利用可能性】
【０１００】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ02）を下記に例示する。
（Ｈ01）本発明は、２枚のシートを積層状態で搬送することにより生産効率を向上できる場合に適用可能である。
（Ｈ02）本発明は、２枚のシートを積層状態で熱定着することにより一部又は全部の張り合わせシートを作成する場合に適用可能である。
【図面の簡単な説明】
【０１０１】
【図１】図１は実施例１のシート搬送装置を備えた画像形成装置（デジタル複写機）の縦断面図である。
【図２】図２は実施例１のシート搬送装置を備えた画像形成装置（デジタル複写機）によりＯＨＰシートに印字する際または封緘書類を作成する際のシート搬送方法の説明図で、図２Ａは下側給紙トレイ（第２給紙トレイ）から第２シートが搬送されている状態を示す図、図２Ｂは上側給紙トレイ（第１給紙トレイ）から給紙される第１シートの先端と第２シートの先端とが同一位置になるように上側給紙トレイから第１シートが給紙された状態を示す図、図２Ｃは上側給紙トレイから給紙された第１シート前端部と下側給紙トレイから給紙された第２シート前端部とが重なってレジロールに搬送された状態を示す図である。
【図３】図３は本発明の画像形成装置用のシート搬送装置および画像形成装置の実施例１の制御部の機能ブロック線図である。
【図４】図４はユーザインタフェースの表示器の拡大図で、図４ＡはＯＨＰ印字指定時のトレイ設定画面が表示器に表示された図、図４Ｂは封緘書類作成時のトレイ設定画面が表示器に表示された図である。
【図５】図５は実施例１の給紙トレイ設定処理のフローチャートである。
【図６】図６は前記図４のＳＴ５のサブルーチンで封緘書類作成時のトレイ設定処理のサブルーチンである。
【図７】図７は、ジョブ時のシート搬送処理のメインルーチンである。
【図８】図８は、前記図７のＳＴ４４のＯＨＰ印字時のシート搬送処理のサブルーチンである。
【図９】図９は、前記図７のＳＴ４７の封緘書類作成時のシート搬送処理のサブルーチンである。
【図１０】図１０は、実施例１のＯＨＰ印字指定時および封緘書類作成指定時のタイムチャートである。
【図１１】図１１は本発明の実施例２のシート搬送装置を備えた画像形成装置（デジタル複写機）によりＯＨＰシートに印字する際のシート搬送方法の説明図で、図１１Ａは上側給紙トレイ（第１給紙トレイ）から搬送された第１シートがレジロールに当接して停止している状態を示す図、図１１Ｂは前記第１シートがレジロールに当接して停止している状態で下側給紙トレイ（第２給紙トレイ）から給紙される第２シートが搬送されている状態を示す図、図１１Ｃは上側給紙トレイから給紙された第１シート前端部と下側給紙トレイから給紙された第２シート前端部とが重なってレジロールに搬送された状態を示す図である。
【図１２】図１２は画像形成装置用のシート搬送装置および画像形成装置の実施例２の制御部の機能ブロック線図であり、前記実施例１の図３に対応する図である。
【図１３】図１３は実施例２のＯＨＰ印字時のシート搬送処理であり、前記実施例１の図８に対応する図である。
【図１４】図１４は、実施例２のＯＨＰ印字指定時のタイムチャートである。
【図１５】図１５は実施例３のシート搬送装置を備えた画像形成装置（デジタル複写機）の縦断面図である。
【図１６】図１６は実施例３のシート搬送装置を備えた画像形成装置（デジタル複写機）により封緘書類を作成する際のシート搬送方法の説明図で、図１６Ａは第１給紙トレイからシート（第１シート）が搬送されている状態を示す図、図１６Ｂはシートに被覆文書が印字されてから反転して反転シートとなってシート反転装置に搬送されている状態を示す図、図１６Ｃは反転シートがシート反転装置のオプションシート反転路からレジロールを通過して転写領域に再送されている状態を示す図である。
【図１７】図１７は実施例３のシート搬送装置を備えた画像形成装置（デジタル複写機）により封緘書類を作成する際のシート搬送方法の説明図で、図１７Ａは反転シート（第１シート）が定着領域Ｑ４を再度通過した後、排出ロールＲ１で再反転して再反転シート（作成済み文書シート）となってシート反転装置に再搬送されている状態を示す図、図１７Ｂは再反転シート前端部と第２給紙トレイから給紙された封緘用シート（第２シート）前端部とが積層状態でレジロールに到達した状態を示す図、図１７Ｃは再反転シートの被覆文書が封緘用シートにより被覆された状態（封緘書類）で排出トレイに排出されている状態を示す図である。
【図１８】図１８は画像形成装置用のシート搬送装置および画像形成装置の実施例３の制御部の機能ブロック線図であり、前記実施例１の図３に対応する図である。
【図１９】図１９は実施例３のジョブ時のシート搬送処理のメインルーチンであり、前記実施例１の図７に対応するフローチャートである。
【図２０】図２０は、前記図１９のＳＴ４７´のサブルーチンであり、印字されて文書シートになってから反転され、再反転された反転シートを使用しての封緘書類を作成する時のシート搬送処理である。
【符号の説明】
【０１０２】
Ｃ６…シート積層搬送手段、Ｃ６ａ…所要時間差記憶手段、Ｃ６ｂ…給紙制御手段、Ｃ７…エラー発生告知手段、Ｆ…定着装置、Ｑ３…画像記録位置、Ｒｐ１＋Ｒｓ１…第１給紙部材、Ｒｐ２＋Ｒｓ２…第２給紙部材、Ｒｒ…レジロール、ＳＮ１…レジセンサ、ＳＮ２…ＯＨＰセンサ、ＳＮ３…再々送シートセンサ、ＳＨ…シート搬送路、ＳＨ１…上流側シート搬送路、ＳＨ２…下流側シート搬送路、ＴＲ１〜ＴＲ４…給紙トレイ、ＴＲ１＋Ｒｐ１＋Ｒｓ１…第１給紙装置、ＴＲ１＋Ｒｐ１＋Ｒｓ１〜ＴＲ４＋Ｒｐ４＋Ｒｓ４…給紙装置、ＴＲ２…第２給紙トレイ、ＴＲ２＋Ｒｐ２＋Ｒｓ２…第２給紙装置、ＴＲ＋Ｋ…トナー像形成装置、ＴＲｈ…排紙トレイ、ＵＩ５,ＵＩ６…シート積層搬送指示部材、
【図１】
2006089209.tif 000003
【図２】
2006089209.tif 000004
【図３】
2006089209.tif 000005
【図４】
2006089209.tif 000006
【図５】
2006089209.tif 000007
【図６】
2006089209.tif 000008
【図７】
2006089209.tif 000009
【図８】
2006089209.tif 000010
【図９】
2006089209.tif 000011
【図１０】
2006089209.tif 000012
【図１１】
2006089209.tif 000013
【図１２】
2006089209.tif 000014
【図１３】
2006089209.tif 000015
【図１４】
2006089209.tif 000016
【図１５】
2006089209.tif 000017
【図１６】
2006089209.tif 000018
【図１７】
2006089209.tif 000019
【図１８】
2006089209.tif 000020
【図１９】
2006089209.tif 000021
【図２０】
2006089209.tif 000022